(57)【要約】【課題】ケース本体とケースカバーとを隙間が開けられないように確実に封止出来るとともに、ケース本体とケースカバーとの封止作業を容易に行うことが出来る収容ケースを備えるスロットマシンを提供すること。【解決手段】遊技制御基板５００が収容された平面視略長方形状をなす収容ケース３５０は、開封自在に構成されたケース本体とケースカバー３５３との封止状態を容易に解除することが出来る第１の封止手段３８３ａと、封止に関連する封止関連部位を破壊しない限りケース本体とケースカバーとの封止状態を解除することが出来ない第２の封止手段と、により封止された状態でスロットマシンの本体に取付手段を介して取り付けられており、第１の封止手段及び第２の封止手段はケースカバー３５３の長辺部に設けられているとともに、取付手段はケースカバー３５３の短辺部に設けられている。【選択図】    図１４
2004159884.tif 000002
【特許請求の範囲】
【請求項１】
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンであって、
前記スロットマシンの本体には、遊技に関連する制御を行う制御手段が設けられた制御基板が収容された平面視略長方形状をなす収容ケースが配設されており、該収容ケースは、ケース本体とケースカバーとから開封自在に構成され、
前記ケース本体と前記ケースカバーとは、該ケース本体と該ケースカバーとの封止状態を容易に解除することが出来る第１の封止手段と、封止に関連する封止関連部位を破壊しない限り前記ケース本体と前記ケースカバーとの封止状態を解除することが出来ない第２の封止手段と、により封止された状態で前記スロットマシンの本体に取付手段を介して取り付けられており、
前記第１の封止手段及び前記第２の封止手段は前記ケースカバーの長辺部に設けられているとともに、前記取付手段は前記ケースカバーの短辺部に設けられていることを特徴とするスロットマシン。
【請求項２】
前記ケースカバーの長辺部における長手方向の略中央位置に前記第１の封止手段が設けられ、該第１の封止手段の両側に前記第２の封止手段がそれぞれ配設されている請求項１に記載のスロットマシン。
【請求項３】
前記ケースカバーにおける互いに対向する２つの長辺部のうちの一方に前記ケースカバーを前記ケース本体に対して回動自在に枢支する枢支部が形成され、
前記ケースカバーにおける他方に前記第１の封止手段及び前記第２の封止手段が設けられている請求項１または２に記載のスロットマシン。
【請求項４】
前記取付手段は、前記スロットマシンの本体に係脱自在な取付用係止片と、前記取付用係止片と前記スロットマシンの本体との係止状態が解除不能となるように前記収容ケースを固着する固着部材と、から構成され、
前記取付用係止片は前記ケースカバーにおける互いに対向する２つの短辺部における一方に設けられ、前記固着部材は前記ケースカバーにおける他方に設けられている請求項１〜３のいずれかに記載のスロットマシン。
【請求項５】
前記ケース本体及び前記ケースカバーには、封止時において平面状の貼着面を形成する封印シール貼着部がそれぞれ形成されており、
前記ケース本体及び前記ケースカバーの封印シール貼着部に跨るように封印シールが貼着されている請求項１〜４のいずれかに記載のスロットマシン。
【請求項６】
前記収容ケースは、該収容ケースの設置用凹部を備えた基板取付部材を介して前記スロットマシンの本体に取り付けられ、
該基板取付部材は、前記収容ケースの設置用凹部の一部が前記スロットマシンの本体を構成する壁部に形成された開口部内に入り込むように取り付けられている請求項１〜５のいずれかに記載のスロットマシン。
【請求項７】
前記第２の封止手段は、前記ケースカバーの封止状態を解除するために破壊した封止関連部位が前記収容ケース側に残るように構成されている請求項１〜６のいずれかに記載のスロットマシン。
【発明の詳細な説明】
【０００１】
【発明の属する技術分野】
本発明は、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンに係わり、特に、遊技に関連する制御を行う制御手段が設けられた制御基板を収容した収容ケースが本体に配設されたスロットマシンに関する。
【０００２】
【従来の技術】
従来、スロットマシンやパチンコ機等に代表される遊技機の本体には、一般的に種々の回路基板が設けられているが、特に遊技者に付与される遊技価値に関わる種々の制御を行う制御手段等が設けられた制御基板は、外部から不正な改造等が施される可能性が高いため、特に遊技に関わる重要な制御手段が設けられる制御基板は、このような外部からの不正が困難となるように、例えば収容ケースに収容した状態で本体に配設していた。
【０００３】
この種の収容ケースは、制御基板を収容可能なように、ケース本体とケースカバーとからなる開封自在な箱体にて構成されているのが一般的であるが、本体に取り付けられた状態でケースカバーが開封されたり、本体から取り外されたりしないように取り付けられるとともに、万が一、ケースカバーが開封されたり本体から取り外された場合には、不正が行われたことをホール側が早急に発見できるように、開封または取り外された痕跡が残るようになっている。
【０００４】
このような収容ケースとしては、例えば一旦取り付けると再度抜き取ることが困難となるセフティロックピンと、収容ケースから突設された係止片と、によりケース本体とケースカバーとを開封不能に封止するとともに、本体への取り付け状態が解除されないように設けられた収容ケースがあった（例えば、特許文献１参照）。
【０００５】
また、取付構造によって一旦取り付けると再度抜き取ることが困難とされるネジによりケース本体とケースカバーとを開封不能に封止するとともに、ケース本体から突設された係止片及びケースカバーに設けられるネジにより本体への取り付け状態が解除されないように設けられた収容ケースがあった（例えば、特許文献２参照）。
【０００６】
【特許文献１】
特開２００１−１６１８９１号公報（第８−１５頁、第２−７図）
【特許文献２】
特開２００１−１８７１９０号公報（第２−６頁、第１−５図）
【０００７】
【発明が解決しようとする課題】
しかしながら、上記特許文献１に記載された収容ケースは、ケース本体とケースカバーとを開封不能に封止するセフティロックピンや係止片が、平面視略長方形状をなす収容ケースの長辺部における長手方向の略中央付近に設けられているため、例えば本体（基板取付部材）に取り付けられた状態において、ケースカバーの長辺部が撓み易くなり、ケースカバーとケース本体との間に隙間が生じてしまう恐れがあった。
【０００８】
また、上記特許文献２に記載された収容ケースは、構造が複雑であり、収容ケースの封止作業が多くの工程を経て行われるため、封止作業を容易に行うことが出来ないといった問題を有していた。
【０００９】
本発明は、このような問題点に着目してなされたもので、ケース本体とケースカバーとを隙間が開けられないように確実に封止出来るとともに、ケース本体とケースカバーとの封止作業を容易に行うことが出来る収容ケースを備えるスロットマシンを提供することを目的とする。
【００１０】
【課題を解決するための手段】
上記課題を解決するために、本発明のスロットマシンは、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンであって、
前記スロットマシンの本体には、遊技に関連する制御を行う制御手段が設けられた制御基板が収容された平面視略長方形状をなす収容ケースが配設されており、該収容ケースは、ケース本体とケースカバーとから開封自在に構成され、
前記ケース本体と前記ケースカバーとは、該ケース本体と該ケースカバーとの封止状態を容易に解除することが出来る第１の封止手段と、封止に関連する封止関連部位を破壊しない限り前記ケース本体と前記ケースカバーとの封止状態を解除することが出来ない第２の封止手段と、により封止された状態で前記スロットマシンの本体に取付手段を介して取り付けられており、
前記第１の封止手段及び前記第２の封止手段は前記ケースカバーの長辺部に設けられているとともに、前記取付手段は前記ケースカバーの短辺部に設けられていることを特徴としている。
この特徴によれば、ケース本体とケースカバーとの封止を、封止作業が容易な第１の封止手段と、不正行為がなされた場合において痕跡が残り得るように封止する第２の封止手段と、により効率よく行うことが出来るとともに、これら第１の封止手段及び第２の封止手段がケースカバーの長辺部に設けられることで、例えば封止関連部位を破壊することなくケースカバーの長辺部を撓ませてケースカバーとケース本体との間に隙間を開けること等が困難となり、ケース外部から針金を差し込むこと等による制御基板への不正行為を効果的に防止出来る。また、スロットマシンの本体に収容ケースが取り付けられた状態において、例えば取付手段がケース本体に設けられている場合には第１の封止手段や第２の封止手段による封止が解除されるとケースカバーが開封する可能性があるが、取付手段がケースカバーに設けられることで、仮に第１の封止手段や第２の封止手段による封止が解除されても取付手段による取付作用によりケースカバーが開封することがないばかりか、さらに取付手段がケースカバーの短辺部に設けられることでケースカバー全体を偏りなく封止することが出来るので、ケースカバーを開封させることによる不正行為を効果的に防止することが出来る。
【００１１】
本発明のスロットマシンの前記ケースカバーの長辺部における長手方向の略中央位置に前記第１の封止手段が設けられ、該第１の封止手段の両側に前記第２の封止手段がそれぞれ配設されていることが好ましい。
このようにすれば、封止手段が長辺部の長手方向にわたって設けられることになるため、ケースカバーとケース本体との間に隙間を開けることがより困難となるばかりか、仮に第１の封止手段による封止が解除された場合でも、その両側は第２の封止手段により封止されていることになり、封止箇所が偏ることがないので、確実に封止することが出来る。
【００１２】
本発明のスロットマシンの前記ケースカバーにおける互いに対向する２つの長辺部のうちの一方に前記ケースカバーを前記ケース本体に対して回動自在に枢支する枢支部が形成され、
前記ケースカバーにおける他方に前記第１の封止手段及び前記第２の封止手段が設けられていることが好ましい。
このようにすれば、第１の封止手段及び第２の封止手段による封止作業を必要最小限に抑えることが出来るばかりか、枢支部を中心にケースカバーをケース本体に対して回動自在とすることが出来るので、封止のための位置決めを容易に行うことが出来る。
【００１３】
本発明のスロットマシンの前記取付手段は、前記スロットマシンの本体に係脱自在な取付用係止片と、前記取付用係止片と前記スロットマシンの本体との係止状態が解除不能となるように前記収容ケースを固着する固着部材と、から構成され、
前記取付用係止片は前記ケースカバーにおける互いに対向する２つの短辺部における一方に設けられ、前記固着部材は前記ケースカバーにおける他方に設けられていることが好ましい。
このようにすれば、スロットマシンの本体への収容ケースの取り付けを容易に行うことが出来る。
【００１４】
本発明のスロットマシンの前記ケース本体及び前記ケースカバーには、封止時において平面状の貼着面を形成する封印シール貼着部がそれぞれ形成されており、
前記ケース本体及び前記ケースカバーの封印シール貼着部に跨るように封印シールが貼着されていることが好ましい。
このようにすれば、封印シールを封印シール貼着面に対して隙間なく貼着することが出来、これにより封印シールが封印シール貼着面から剥離しにくくなるばかりか、封印シール貼着面に封印シールが剥離された痕跡が残りやすくなるため、不正行為が行われたことを発見しやすくなる。
【００１５】
本発明のスロットマシンの前記収容ケースは、該収容ケースの設置用凹部を備えた基板取付部材を介して前記スロットマシンの本体に取り付けられ、
該基板取付部材は、前記収容ケースの設置用凹部の一部が前記スロットマシンの本体を構成する壁部に形成された開口部内に入り込むように取り付けられていることが好ましい。
このようにすれば、壁部に取り付けられた収容ケースの少なくとも一部が壁部の厚み方向に入り込むことで、筐体の内部スペースにおける収容ケースの占有率を小さくすることが出来、これにより筐体の内部に配設される他の種々の装置や部材等の配置自由度が高まるため、限られた筐体の内部スペース内に種々の装置や部材等を効率よく配設することが出来る。
【００１６】
本発明のスロットマシンの前記第２の封止手段は、前記ケースカバーの封止状態を解除するために破壊した封止関連部位が前記収容ケース側に残るように構成されていることが好ましい。
このようにすれば、封止関連部位を破壊して開封しても封止関連部位が収容ケースから分離することがないので、廃棄の手間が不要となる。
【００１７】
【発明の実施の形態】
以下、本発明の実施態様について図面を参照して説明する。
【００１８】
（１）スロットマシンの概略説明
まず、図１〜図５を参照してスロットマシンの概略構成について説明すると、図１はスロットマシン１を斜め前方から見た斜視図であり、図２は前面扉３を開放した状態のスロットマシン１を斜め前方から見た斜視図であり、図３はスロットマシン１の正面図であり、図４はスロットマシン１の筐体２内を示す正面図であり、図５はスロットマシン１の前面扉を示す背面図である。
【００１９】
本実施例におけるスロットマシン１は、前面が開口する筐体２と、この筺体２の側端に回動自在に枢支された前面扉３と、から構成されており、前面扉３の裏面に設けられた施錠装置４（図５参照）の鍵穴４ａに挿入した所定のキーを時計回り方向に回動操作することにより施錠が解除されて前面扉３を開放することができるようになっている。
【００２０】
（１−１）前面扉の前面
前面扉３の前面上端部には、遊技効果ＬＥＤ１３０（図３参照）が内蔵された遊技効果ＬＥＤ部４１が左右方向に延びるように設けられているとともに、左右側端部には、遊技効果ＬＥＤ１３１ａ〜１３１ｃ（図３参照）が内蔵された発光部としての遊技効果ＬＥＤ部４２Ｌ、及び遊技効果ＬＥＤ１３２ａ〜１３２ｃ（図３参照）が内蔵された発光部としての遊技効果ＬＥＤ部４２Ｒが、前面扉３の上部から下部にわたって一連に設けられている。これら遊技効果ＬＥＤ部４１、４２Ｌ、４２Ｒにより囲まれた前面扉３の前面には、役構成等が印刷された上部パネル５、各種表示部が形成された遊技パネル６、タイトル等が印刷された下部パネル７が各々設けられている。なお、下部パネル７の内部には表示面を後方から照らす蛍光灯１３９が内蔵されている。下部パネル７の下方には、メダル払出穴９から払出されるメダルを受け入れるメダル受皿１０が突設されている。なお、メダル受皿１０の左側には灰皿１３が設けられている。
【００２１】
遊技パネル６と下部パネル７の間には、操作部８が遊技パネル６よりも前方に膨出するように形成されており、この操作部８には、遊技媒体であるメダルを投入可能なメダル投入部３４や、各種操作ボタン３５、３６ａ、３６ｂ、３７、４０Ｌ、４０Ｃ、４０Ｒ、及びスタートレバー３８等が設けられている。
【００２２】
上部パネル５の左右側には、内部に設けられる高音スピーカ１３６Ｌ、１３６Ｒ（図５参照）から出力される音を放音する放音部１２Ｌ、１２Ｒがそれぞれ設けられているとともに、これら左右の放音部１２Ｌ、１２Ｒの間には、上部パネル５の後面に設けられる演出手段の一例である演出用リール９１Ｌ、９１Ｃ、９１Ｒを透視するための透明な演出用透視窓１１が印刷形成されている。この演出用透視窓１１から視認できる各演出用リールの領域を、各演出用リールに対応させて左可変表示部９２Ｌ、中可変表示部９２Ｃ、右可変表示部９２Ｒ（領域）と呼ぶ（図３参照）。この演出用可変表示部としての各可変表示部５２Ｌ、５２Ｃ、５２Ｒからは、各演出用リールに描かれた複数の図柄のうち、連続する３つの図柄が上段、中段、下段の位置に表示される。
【００２３】
遊技パネル６には、筐体２に内設された後述するゲーム用リール５１Ｌ、５１Ｃ、５１Ｒを透視可能な透視窓１４と、各種表示部１６〜３３と、がそれぞれ印刷形成されている。
【００２４】
遊技パネル６に設けられた各種表示部のうち、クレジット表示部３１は、内蔵されたクレジット表示器１０９（図５参照）によりクレジットが表示される。クレジットとは、遊技者所有の有価価値としてスロットマシン１内部の記憶部に記憶されているメダル数である。このスロットマシン１では、クレジットとして記憶可能な価値の上限値が最大でメダル５０枚分とされており、この上限値を越えるクレジットの加算更新の要求が発生した場合にはその上限を越えるメダルがメダル払出穴９から払出される。クレジット表示器１０９は、横並び状態で設けられた３個の７セグメント表示器からなり、３桁の数値を表示可能であるため、前記クレジットの上限が前記１００枚以上となった場合にも対応出来るとともに、クレジットの表示として使用しない７セグメント表示器は演出のために使用することが出来るようになっている。
【００２５】
ゲーム回数表示部３２は、後述するビッグボーナス（以下ＢＢと略称する）中に提供されるビッグボーナスゲーム（以下ＢＢゲームと略称する）の残回数や、後述するレギュラーボーナス（以下ＲＢと略称する）の残回数等が内蔵されたゲーム回数表示器１０８（図５参照）により表示される。さらにゲーム回数表示部３２は、スロットマシン１に発生した各種の異常を表示する報知手段であるエラー表示器としても機能する。
【００２６】
ペイアウト表示部３３は、１ゲーム中に発生した入賞に基づいて遊技者に付与されるメダル枚数が入賞がある毎に、内蔵されたペイアウト表示器１１０（図５参照）により表示される。さらに、本実施例におけるスロットマシン１は、予め定められた入賞確率の値を例えば６つのパターンの設定値として記憶しており、前記ペイアウト表示部３３には、この設定値が前記ペイアウト表示器１１０により表示されるようになっている。
【００２７】
１〜３枚賭け表示部４６〜４８は、内蔵された１〜３枚賭けＬＥＤ１１１〜１１３（図５参照）が、遊技者がゲームに賭数を設定した場合にその賭数に応じて点灯する。
【００２８】
リプレイ表示部２７は、リプレイ入賞が発生した場合に、その内部に内蔵されたリプレイＬＥＤ１１４（図５参照）が点灯する。スタート表示部２８は、賭数が設定されることによりスタート操作をすることが可能となった場合に、その内部に内蔵されたスタートＬＥＤ１１５（図５参照）が点灯し、有効なスタート操作が検出されることにより消灯する。投入指示表示部３０は、メダルを受付可能な状態である場合に、その内部に内蔵された投入指示ＬＥＤ１１７（図５参照）が点滅し、メダルを受付不可能な状態である場合に消灯する。
【００２９】
ウェイト表示部２９は、ウェイトタイム中にスタート操作が検出された場合に、その内部に内蔵されたウェイトＬＥＤ１１６（図５参照）が点灯し、ウェイトタイムが経過した後に消灯する。ウェイトタイムは、ゲームがあまりに速く進行しすぎてしまうことを規制するために設定されたゲーム進行規制期間であり、このウェイトタイム中にスタート操作が検出されると、ウェイトタイムが経過した後にリールが始動するように設定されている。
【００３０】
演出用表示部１６〜２５のうち演出用表示部１７〜２０は、リプレイ表示部２７、ウェイト表示部２９、スタート表示部２８、投入指示表示部３０と、演出用表示部２１〜２５は、１〜３枚賭け表示部４６〜４８と、各々同様に機能する表示部であり、これら各表示部に内蔵されたＬＥＤ１１１〜１１７の点灯／消灯に応じて、各々対応する演出用表示部１７〜２５に内蔵された演出用ランプ１４１〜１４９（図５参照）が点灯／消灯する。また、演出用表示部１６は、ビッグボーナス入賞やレギュラーボーナス入賞の発生が許容されている場合に、その内部に内蔵された演出用ランプ１４０（図５参照）が点灯するようになっており、ボーナス告知表示部として機能する。
【００３１】
操作部８の上面右側には、メダル投入口３４ａが形成されたメダル投入部３４が設けられているとともに、上面左側には精算ボタン３７、１枚ＢＥＴボタン３６ａ、ＭＡＸＢＥＴボタン３６ｂがそれぞれ設けられている。
【００３２】
１枚ＢＥＴボタン３６ａは、クレジットを使用してメダルを１枚分賭ける際に押圧するボタンであり、ＭＡＸＢＥＴボタン３６ｂは、１ゲームにおいて許容される賭数の最大数（本実施例ではメダル３枚分）をクレジットの範囲内で賭ける際に押圧するボタンである。１枚ＢＥＴボタン３６ａの表面には、該当する賭数である「１」の数字が刻設されているとともに、ＭＡＸＢＥＴボタン３６ｂの内部には、ＭＡＸＢＥＴボタンＬＥＤ１２１が内蔵されており（図５参照）、これらのＭＡＸＢＥＴボタンＬＥＤ１２１は、ＭＡＸＢＥＴボタン３６ｂの操作により賭数を設定可能な状態にある場合に点灯し、賭数を設定不可能な状態の場合に消灯する。なお、１枚ＢＥＴボタン３６ａの操作は内蔵された１枚ＢＥＴスイッチ１００に、また、ＭＡＸＢＥＴボタン３６ｂの操作は内蔵されたＭＡＸＢＥＴスイッチ１０１（図５参照）にて検出される。
【００３３】
精算ボタン３７は、記憶部に記憶されているクレジットの精算操作をする際に押圧するボタンであり、この精算ボタン３７の押圧操作は、内蔵された精算スイッチ１０４（図５参照）にて検出され、クレジットとして記憶されている枚数のメダルがメダル払出穴９から払出されるようになっている。
【００３４】
操作部８の前面には、スタートレバー３８、ストップボタン４０Ｌ、４０Ｃ、４０Ｒ、メダル詰まり解除ボタン３５がそれぞれ設けられている。スタートレバー３８は、ゲームを開始する際に操作するレバーであり、賭数の設定終了後においてスタートレバー３８を操作することにより、その操作が内蔵されたスタートスイッチ１０２（図５参照）にて検出されリールユニット５０の各リール５１Ｌ、５１Ｃ、５１Ｒの回転が開始される。
【００３５】
各ストップボタン４０Ｌ、４０Ｃ、４０Ｒは、ゲームが開始した後にリール５１Ｌ、５１Ｃ、５１Ｒの回転を停止させる際に操作するボタンであり、その操作は内蔵されたストップスイッチ１０３Ｌ、１０３Ｃ、１０３Ｒ（図５参照）にて検出されるようになっている。また、ストップボタン４０Ｌ、４０Ｃ、４０Ｒの内部には操作有効ＬＥＤ１２２Ｌ、１２２Ｃ、１２２Ｒが、それぞれ内蔵されており（図５参照）、これら操作有効ＬＥＤ１２２Ｌ、１２２Ｃ、１２２Ｒは、対応するストップボタン４０Ｌ、４０Ｃ、４０Ｒの操作が有効である場合に点灯し、操作が無効である場合に消灯する。
【００３６】
メダル詰まり解除ボタン３５は、メダル投入部３４に投入されたメダルが内部で詰まった場合に、これを解消させる際に操作するボタンである。
【００３７】
（１−２）筐体の内部
次に、筐体２内上部には、図２及び図４に示されるように、後述する遊技制御基板５００が収容された遊技制御基板ボックス３５０が、背板１５３に取り付けられた基板取付部材３５１（図１１参照）に取り付けられている。さらにその側方には、遊技制御基板５００から出力される試験信号等を外部に出力するための外部出力基板５０５が取り付けられている。
【００３８】
筐体２内略中央部には、複数種の図柄が印刷された透光性を有する帯状のリールシートが外周に巻回されたリール５１Ｌ、５１Ｃ、５１Ｒを有する可変表示装置としてのリールユニット５０が設けられている。それぞれのリール５１Ｌ、５１Ｃ、５１Ｒは、各々に対応して設けられたリールモータ５４Ｌ、５４Ｃ、５４Ｒによりそれぞれ独立して縦方向に回転（駆動）、停止するように構成されており、各リール５１Ｌ、５１Ｃ、５１Ｒが回転することにより、透視窓１４には前記各種図柄が連続的に変化しつつ表示されるようになっている。
【００３９】
透視窓１４から視認できる各リールの領域を、各リールに対応させて左可変表示部５２Ｌ、中可変表示部５２Ｃ、右可変表示部５２Ｒ（領域）と呼ぶ（図３参照）。この遊技用可変表示部としての各可変表示部５２Ｌ、５２Ｃ、５２Ｒからは、各リールに描かれた複数の図柄のうち、連続する３つの図柄が上段、中段、下段の位置に表示される。
【００４０】
各リール５１Ｌ、５１Ｃ、５１Ｒには、それぞれのリールの回転基準位置を検出するリールセンサ５６Ｌ、５６Ｃ、５６Ｒが備えられており、このリールセンサ５６Ｌ、５６Ｃ、５６Ｒにより所定の図柄の停止位置を導出できるようになっているとともに、各リール５１Ｌ、５１Ｃ、５１Ｒにおける特定の表示領域（上、中、下段の表示領域）を裏面から個別に照射可能な複数のリールランプ５５Ｌａ〜５５Ｌｃ、５５Ｃａ〜５５Ｃｃ、５５Ｒａ〜５５Ｒｃがそれぞれ上、中、下段に設けられており、これら各リールランプ５５Ｌａ〜５５Ｌｃ、５５Ｃａ〜５５Ｃｃ、５５Ｒａ〜５５Ｒｃは、透視窓１４に表示される各図柄を後方から点灯するバックライトとして機能するようになっている。
【００４１】
また、リールユニット５０の背面には、各リールモータ５４Ｌ、５４Ｃ、５４Ｒ、リールセンサ５６Ｌ、５６Ｃ、５６Ｒの配線を遊技制御基板５００に接続するためのリール中継基板５０３が設けられているとともに、リールユニット５０の上面には、リールランプ５５Ｌａ〜５５Ｌｃ、５５Ｃａ〜５５Ｃｃ、５５Ｒａ〜５５Ｒｃからの配線が接続されるリールランプ中継基板５０４が設けられている。
【００４２】
リールユニット５０の下方には、メダル投入部３４から投入されたメダルを貯留するホッパータンク５７ａを有するホッパーユニット５７が設けられている。また、ホッパーユニット５７の右側にはホッパータンク５７ａからオーバーフローしたメダルが貯留されるオーバーフロータンク５９が設けられている。このオーバーフロータンク５９内にはメダルを検出可能なフルセンサ６０ａ、６０ｂが設けられており、内部に貯留されたメダル貯留量が所定量以上となったことを検出できるようになっている。
【００４３】
ホッパーユニット５７の下方部分にはホッパーモータ６２が設けられており、このホッパーモータ６２が回転することによりホッパータンク５７ａ内のメダルがメダル排出口６３から排出される。排出されたメダルは、メダル排出口６３の近傍に設けられる払出しメダルセンサ６１により検出された後、後述するメダル返却通路部材７３（図５参照）に形成されたメダル合流口７４（図５参照）を通して内部に流入し、メダル払出穴９から払い出される。
【００４４】
ホッパーユニット５７の側方には、メイン電源をｏｎ／ｏｆｆするメインスイッチ部６６と、エラーが生じた場合等において再びゲームを続行可能な状態にリセットする操作、及び入賞確率を変更可能とする操作を可能な設定／リセットボタン６７と、自動精算機能をｏｎ／ｏｆｆする自動精算選択スイッチ部６８と、自動打止め機能をｏｎ／ｏｆｆする打止め選択スイッチ部６９と、遊技場の管理者等が所持する特定のキーを挿入可能な設定キー挿入部７０と、が前面に設けられるとともに、電源基板５０２が内蔵された電源ユニット６５が配設されている。
【００４５】
本実施例では、設定キー挿入部７０のｏｎ／ｏｆｆ状態に関わらず、電源投入を行うことにより、その時点での自動精算選択スイッチ部６８及び打止め選択スイッチ部６９の状態にて設定されるとともに、設定／リセットボタン６７がリセットボタンとして機能することになる。また、縦長長方形状の設定キー挿入部７０が鉛直方向に対して左斜め４５度のｏｆｆの状態で特定のキーを挿入してから時計回りに９０度回転した状態、すなわちｏｎの状態で電源投入を行う操作により、設定キースイッチ（図示略）のｏｎが検出され、遊技状態の初期化、すなわち、遊技制御基板５００内に設けられたＲＡＭ（図示略）の記憶内容の初期化が実行されるとともに、設定／リセットボタン６７がリセットボタンとして機能することになり、この設定／リセットボタン６７の操作により入賞確率、すなわち出玉率の変更が実行可能となる。
【００４６】
設定キー挿入部７０は、ｏｆｆの状態において、垂直方向に対して左斜め４５度に傾斜した状態をなし、ｏｎの状態において、垂直方向に対して右斜め４５度に傾斜した状態となるように設けられているため、設定キーによる回動操作が行いやすいとともに、遊技状態のリセット及び入賞確率の設定それぞれの機能を１つのボタン操作にて行うことが出来るようにしたことで、操作性が向上する。
【００４７】
（１−３）前面扉の後面
次に、前面扉３の後面上部には、図５に示されるように、演出用ユニット９０が取り付けられている。演出用ユニット９０は、主に前方に開口する直方体状の演出用リール収容箱内に内蔵される演出用リール９１Ｌ、９１Ｃ、９１Ｒと、前記演出用リール収容箱の後面側（図５中手前側）に取り付けられる演出制御基板５０１と、から構成されている。演出用リール９１Ｌ、９１Ｃ、９１Ｒ内には、演出用リールセンサ１２７Ｌ、１２７Ｃ、１２７Ｒと、演出用リールＬＥＤ１２８Ｌ、１２８Ｃ、１２８Ｒと、演出用リールモータ１２９Ｌ、１２９Ｃ、１２９Ｒと、が内蔵されている。
【００４８】
また、演出用ユニット９０の左右側には、高音スピーカ１３６Ｌ、１３６Ｒが放音部１２Ｌ、１２Ｒに臨むように取り付けられている。高音スピーカ１３６Ｌの後面側には、リールランプ５５Ｌ、５５Ｃ、５５Ｒ及び各演出用ランプ１４０〜１４９が接続される演出用中継基板５０９が取り付けられている。また、スピーカ１３６Ｒの後方には、後述する遊技パネルユニット９５に組み付けられる冷陰極管１３８ａ〜１３８ｃ用の冷陰極管用インバータ１２４が取り付けられている。冷陰極管用インバータ１２４は、直方形状をなし、前面扉３の後面に対して縦向きに取り付けられている。
【００４９】
前面扉３の後面中央部には、遊技パネル６及び各種演出用装置が組み付けられる遊技パネルユニット９５が組み付けられている。遊技パネルユニット９５の前面側には、遊技パネル６及びリール５１Ｌ、５１Ｃ、５１Ｒを上方から照らす発光色の異なる３本の冷陰極管１３８ａ〜１３８ｃが取り付けられている。
【００５０】
また、遊技パネルユニット９５の後面側には、演出用ランプ１４０〜１４４が搭載される演出用ランプ基板５４１と、演出用ランプ１４５〜１４９が搭載される演出用ランプ基板５４２と、各種表示器１０８〜１１０、１２０、各種ＬＥＤ１１１〜１１７が搭載される表示基板５４３と、演出用ランプ基板５４１、５４２を演出制御基板５０１に接続するための演出用ランプ中継基板５０８と、が取り付けられている。なお、図５中の符号１２０は設定値表示器を示しており、この設定値表示器１２０が前面扉３の後面側に向けて取り付けられていることによって、電源ユニット６５にて設定値の設定操作を行う際において、開放した前面扉３の前面のペイアウト表示部３３を覗き込むことなく、設定値表示器１２０にて設定値を確認することが出来るため、操作性が向上する。
【００５１】
遊技パネルユニット９５の下方には、メダル投入部３４から投入された正規なメダルのみを後述するホッパータンク５７ａに導く投入メダルセレクタ７１が設けられている。直径や厚みの異なる不正メダルは、この投入メダルセレクタにより振り分けられて、メダル返却通路部材７３を介してメダル払出穴９から返却される。
【００５２】
投入メダルセレクタ７１の下流側には、流下するメダル流路を選択的に切替可能とする流路切替ソレノイド１０７が設けられている。通常時において流路切替ソレノイド１０７は励磁されており、この状態において流下するメダルは投入メダルセンサ１０６ａ〜１０６ｃにより検出された後、メダル誘導樋７２を流下してホッパータンク５７ａ内に貯留されるようになっている。また、メダル投入が不可能な場合には、流路切替ソレノイド１０７の励磁が解除されて流路が切替わって、メダル返却通路部材７３を介してメダル払出穴９から返却される。
【００５３】
また、投入メダルセレクタ７１の側方には、操作部８に設けられる各種操作部からの配線をまとめた状態で遊技制御基板５００に接続するための操作部中継基板５０７が、合成樹脂材により構成された操作部中継基板ケース内に被覆された状態で設けられている。さらにこの操作部中継基板５０７の下方には、前面に設けられる蛍光灯１３９用の蛍光灯用インバータ１２５が取り付けられている。
【００５４】
さらに、メダル返却通路部材７３を挟んで蛍光灯用インバータ１２５の反対側には、スピーカ取付用のスピーカ取付穴７５が横向き楕円形状のリブ周りに４個設けられており、スピーカを取り付けることが出来るようになっている。
【００５５】
（１−４）遊技状態の説明
次に、遊技者が遊技（ゲーム）を行うための操作や、該操作に伴う各種装置の作動状況を説明する。
【００５６】
ゲームを開始する場合は、メダルやクレジットを使用して所望の大きさの有価価値を賭けて所望の大きさの賭数を設定する。賭数は、メダルをメダル投入部３４から投入するか、あるいはクレジットを使用することにより設定できるようになっている。クレジットを使用するにはＭＡＸＢＥＴボタン３６ｂ、または１枚ＢＥＴボタン３６ａを押圧すれば良い。
【００５７】
遊技者により賭数が「１」に設定されると入賞ラインＬ１が有効となり、賭数が「２」に設定されると入賞ラインＬ１、Ｌ２、Ｌ２’が有効となり、賭数が「３」に設定されると入賞ラインＬ１、Ｌ２、Ｌ２’、Ｌ３、Ｌ３’が有効となる。
【００５８】
そして少なくとも「１」の賭数が設定された時点でスタートレバー３８の操作が有効に受付けられる状態、すなわち、ゲームが開始可能な状態となる。
【００５９】
尚、このような賭数に応じて有効化される入賞ラインの本数、及び形状等は任意に変更可能であり、本実施例の形態に限定されるものではない。また、賭数に応じて有効化される入賞ラインの本数も任意に設定変更可能である。
【００６０】
ゲームが開始可能な状態でスタートレバー３８を押圧操作すれば、各リール５１Ｌ、５１Ｃ、５１Ｒが回転し、透視窓１４には複数種類の図柄が連続的に変化するように表示される。各リール５１Ｌ、５１Ｃ、５１Ｒの回転が開始されてから所定時間が経過すれば各ストップボタン４０Ｌ、４０Ｃ、４０Ｒの操作が有効になり、この状態で遊技者がいずれかのストップボタン４０Ｌ、４０Ｃ、４０Ｒを押圧操作すれば、対応するリールの回転が停止され、透視窓１４からは対応する可変表示部の上、中、下段に図柄が表示される。
【００６１】
また、遊技者がストップボタン４０Ｌ、４０Ｃ、４０Ｒを押圧操作しない場合には、一定時間が経過した時点で自動的に各リール５１Ｌ、５１Ｃ、５１Ｒの回転が順次停止する。
【００６２】
そして全てのリール５１Ｌ、５１Ｃ、５１Ｒが停止された時点で、賭数に応じて有効化されたいずれかの入賞ラインＬ１、Ｌ２、Ｌ２’、Ｌ３、Ｌ３’上に予め定められた図柄の組合せが表示された場合は入賞となり、入賞内容に対応して予め定められた所定枚数のメダルが遊技者に対してクレジットとして払出される。また、クレジットが上限数に達した場合には、メダルが直接メダル払出穴９から払い出される。
【００６３】
また、特に予め定められた特別図柄の組合せが表示されて大当たり入賞した場合にあっては、メダルの払出しが行なわれるとともに、通常遊技状態とは異なるとともに、遊技者にとって有利な、すなわち大量のメダルを獲得できるビッグボーナス（ＢＢ）やレギュラーボーナス（ＲＢ）が遊技者に対して遊技価値として付与されるようになっている。
【００６４】
尚、このように入賞することにより遊技者に対して付与される「遊技価値」は、メダル及びクレジット等の有価価値に限らず、上記のように大当たり入賞した場合において遊技者に対して付与されるＢＢやＲＢ等、遊技に関連する特典全てを含む。
【００６５】
本実施例では、各リール５１Ｌ（左リール）、リール５１Ｃ（中リール）、リール５１Ｒ（右リール）の周面に、「白７」、「ＢＡＲ」、「スイカ」、「ベル」、「チェリー」、「プラム」の図柄（図３参照）が各リールに２１個配列されており、通常遊技状態において「白７−白７−白７」、「ＢＡＲ−ＢＡＲ−ＢＡＲ」、「チェリー−Ａｎｙ−Ａｎｙ」、「スイカ−スイカ−スイカ」、「ベル−ベル−ベル」、または「プラム−プラム−プラム」の組合せが入賞の対象とされており、そのうち白７の図柄、及びＢＡＲの図柄のみが遊技者にとって利益の大きな賞である大当り入賞（ＢＢ、ＲＢ）の対象となる特別図柄とされ、その他スイカ、チェリー、ベルまたはプラムの図柄は遊技者にとって利益の小さな賞である小役入賞の対象となる小役図柄とされている。
【００６６】
通常遊技状態において、「チェリー−Ａｎｙ−Ａｎｙ」、「スイカ−スイカ−スイカ」、「ベル−ベル−ベル」、の組合せが有効化された１つの入賞ライン上に揃った場合には、その図柄の組合せに応じて予め定められた所定枚数のメダルが遊技者に付与される。
【００６７】
具体的には、左リール５１Ｌに描かれた「チェリー」の図柄は単図柄と呼ばれるマークであり、この単図柄が有効な１本の入賞ライン上で停止表示された場合には例えば２枚のメダルが遊技者に付与される。また、「スイカ−スイカ−スイカ」の組合せが有効化された１つの入賞ライン上に揃った場合には、例えば１２枚のメダルが付与される。また、「ベル−ベル−ベル」の組合せが有効化された１つの入賞ライン上に揃った場合には、９枚のメダルが付与される。
【００６８】
また、賭数に応じて有効化された入賞ラインが複数本存在する場合において、前述したようにメダルが払出される図柄の組合せが複数本の入賞ライン上において同時に成立した場合には、各入賞ライン上の図柄の組合せによって付与されるメダル枚数の合計枚数に相当するメダルが付与されるのが原則である。しかし、１ゲームにおいて遊技者に付与されるメダルの上限が１５枚と定められているために、１５枚を越える場合にはその１６枚目以降のメダルが無効となる。
【００６９】
また、「プラム−プラム−プラム」の組合せが有効化された１つの入賞ライン上に揃った場合には、当該ゲームと同一の賭数にて次回のゲームを実施可能なリプレイ（再遊技）ゲームが付与される。
【００７０】
また、通常遊技状態において有効化されたいずれかの入賞ライン上に「ＢＡＲ−ＢＡＲ−ＢＡＲ」の図柄が揃えば、ＲＢ入賞したことになり、「ＢＡＲ−ＢＡＲ−ＢＡＲ」の図柄が揃ったことの対価として１５枚のメダルが払出されるとともに、遊技者にとって有利なレギュラーボーナス（ＲＢ）が発生し、以下に説明するレギュラーボーナスゲーム（ＲＢゲーム）が遊技者に対して付与される。具体的に説明すると、このＲＢが発生した場合には、プラム図柄の揃目が揃うことにより１５枚のメダルが払出されるＪａｃ入賞が高確率で発生するＲＢゲームが最大で１２回提供されるとともに、このＲＢゲームが１２回実行されるか、あるいはＲＢゲームが１２回に達する前にＪａｃ入賞が８回発生するか、いずれかの条件が満たされた時点で終了する。したがって、遊技者は１２回のＲＢゲーム中に最大８回のＪａｃ入賞の機会を得ることができる。
【００７１】
また、通常遊技状態において、有効化された入賞ライン上に、「白７−白７−白７」が揃えば、ＢＢ入賞したことになり、「白７−白７−白７」の図柄が揃ったことの対価として１５枚のメダルが払出されるとともに、遊技者にとって有利な特別遊技状態としてのビッグボーナス（ＢＢ）が発生し、以下に説明する小役ゲームとＲＢが遊技者に対して付与される。
【００７２】
具体的に説明すると、このＢＢが発生した場合には、まず、遊技状態が通常遊技状態から小役ゲームに移行する。小役ゲームでは、対象となる小役図柄の組み合わせが揃って所定枚数のメダルの払出しを伴う入賞が比較的高確率で発生するＢＢゲームが最大で３０回提供される。
【００７３】
また、ＢＢゲームを３０回実行するまでの間にプラム図柄の揃目が揃ってＪａｃＩｎ入賞した場合には、所定枚数のメダルが付与されるとともに、レギュラーボーナス（ＲＢ）に移行して前述したＲＢゲームが最大で１２回提供され、このＲＢゲームが１２回実行されるか、或いはＲＢゲームが１２回に達する前にＪａｃ入賞が８回発生するか、いずれかの条件が満たされた時点で終了する。このＲＢは、ＢＢ中において移行可能な最大回数が規定されており、本実施例では最大で３回移行し得るように規定されている。
【００７４】
そしてＢＢは、小役ゲーム中に３０回のＢＢゲームを実行した場合か、或いは３０回のＢＢゲームを実行する前にＲＢへ３回移行し、３回目のＲＢが終了した場合のうち、いずれかの条件が満たされた時点で終了する。
【００７５】
以上、実施形態に係る遊技機としてのスロットマシン１の全体の概略構成及び遊技内容について説明してきたが、次には、スロットマシン１の構造について詳細に説明する。スロットマシン１は、前述したように筐体２と前面扉３とから構成されているので、以下それぞれに分けて説明する。
【００７６】
（２）筐体
筐体２は、前述したように、上部の天板１５０と、左側板１５１Ｌ及び右側板１５１Ｒと、下部の底板１５２と、背面の背板１５３と、によって直方体状に組み付けられ、その内部には、主に遊技制御基板ボックス３５０、リールユニット５０、ホッパーユニット５７、電源ユニット６５、オーバーフロータンク５９等が収容されている。
【００７７】
そこで、まず、筐体２の外形を構成する天板１５０、側板１５１Ｌ、１５１Ｒ、底板１５２、背板１５３について図６〜図１０を参照して説明する。図６はスロットマシン１を示す背面図であり、図７はスロットマシン１を示す右側面図（左側面図は右側面図と同一のため省略する）であり、図８（ａ）はスロットマシン１を示す平面図であり、（ｂ）はスロットマシン１を示す底面図であり、図９は筐体２と前面扉３との関わりを示す要部拡大平面図であり、図１０は一部の部材が組み付けられた状態の筐体２を示す正面図である。
【００７８】
（２−１）背板
背板１５３には、図６に示されるように、その上部に後述する遊技制御基板ボックス３５０を取り付けるための開口部としての基板取付用開口１５４が開設されている。基板取付用開口１５４の長方形部の一方の短辺部の外側には膨出部１５４ａが形成されているとともに、各角部はＲ形状に加工されている。この基板取付用開口１５４は、背板１５３の前面側から取り付けられる遊技制御基板ボックス３５０を取り付けるための基板取付部材３５１（図１０参照）にて閉塞される。
【００７９】
基板取付用開口１５４の側方には、円形の外部接続配線通し穴１５７が開設されており、前記外部出力基板５０５からの配線を外部に引き出すことが出来るようになっており、引き出した配線は、例えば、遊技場の管理コンピュータに接続される。基板取付用開口１５４のやや下部には、溝状に形成される放熱穴１５５が水平方向に複数個形成されている。
【００８０】
放熱穴１５５のさらに下方には、自動循環補給装置接続開口１５６が形成されている。この自動循環補給装置接続開口１５６は、遊技場の設置台にメダルの自動循環補給装置が付設されている場合において、接続開口閉塞部材２１２（図１０参照）を取り外すことにより自動循環補給装置の補給ホース（図示略）を筐体２の内部に収容できるようになっており、補給ホースは、筐体２の内部に設けられるホッパーユニット５７のホッパータンク５７ａの上部に臨むようになっている。
【００８１】
また、背板１５３の下部には、前面扉３の軸支側に縦長矩形状の電源ユニット用放熱開口１５８が開設されており、その側方には、低音用のスピーカが取り付けられるスピーカ用開口１５９が開設されている。電源ユニット用放熱開口１５８は、電源ユニット６５から発生する熱を外部に放出するものであり、その下部側方に形成された膨出部１５８ａから電源ユニット６５に接続される電源線が外部に引き出される。スピーカ用開口１５９には、低音スピーカ１３７（図１１参照）が臨むように取り付けられ、そのスピーカ用開口１５９には、スピーカ保護網２１６（図１０参照）が背板１５３の外側からタッカー（ステプラー針の大型のもの）で止着される。
【００８２】
スピーカ用開口１５９のさらに側方には、円形のエンプティセンサ配線通し穴１６１が形成されている。このエンプティセンサ配線通し穴１６１は、自動循環補給装置が付設されている場合に、後述するホッパータンク５７ａに取り付けられるエンプティセンサ（図示略）からの配線を外部に引き出すためのものである。
【００８３】
（２−２）側板
左側板１５１Ｌ及び右側板１５１Ｒの上下方向中央部よりやや下方位置には、図７に示されるように、スロットマシン１を運搬する場合に指先を入れて持ち運ぶための運搬用凹部１５Ｌ、１５Ｒ（図１参照）を形成するための運搬用開口１６２Ｌ、１６２Ｒが形成されている。この運搬用開口１６２Ｌ、１６２Ｒには、後述する取手部材２１１Ｌ、２１１Ｒ（図４及び図１０参照）が筐体２の外側から嵌合されることにより閉塞されて運搬用凹部１５Ｌ、１５Ｒが形成されることになる。また、この運搬用開口１６２Ｌ、１６２Ｒの外面側の周縁部には、取手部材２１１Ｌ、２１１Ｒのフランジ部を収容する収容溝１６３Ｌ、１６３Ｒが環状に凹設されている。
【００８４】
また、左側板１５１Ｌ及び右側板１５１Ｒの前端面は、下端部から上端部に向かって後方に傾斜する傾斜面状に形成されており、前面扉３の後面も同じ方向に傾斜する傾斜面状に形成されている。これらの傾斜角度は、図７に示されるように、鉛直方向を向く基準線Ｐに対して約５．５度上端部側が後方に傾いており、これは、左側板１５１Ｌ及び右側板１５１Ｒの前端面を鉛直方向に向けて形成した場合よりも、前面扉３により筐体２の前面開口を閉塞した際において前面扉３の荷重が左側板１５１Ｌ及び右側板１５１Ｒの前端面にかかりやすくなり、前面扉３の閉塞時において前面扉３と筐体２との間に隙間が形成されにくくなるためであり、これにより両者の間に形成される隙間から針金等を挿入すること等による不正行為が防止される。
【００８５】
なお、前面扉３に組み付けられる上部パネル５及び下部パネル７は、鉛直方向を向く基準線Ｐとほぼ平行をなすように、すなわち、ほぼ鉛直方向を向くように組み付けられているとともに、遊技パネル６は、鉛直方向を向く基準線Ｐに対して約１０度上端部側が後方に傾くように組み付けられている。これら角度は、スロットマシン１は設置時において遊技者の目線が遊技パネル６のやや上部付近にくることを前提として設計されている。すなわち、特に遊技者が最も注目する可変表示部を透視可能な透視窓１４（図１、図３参照）が形成された遊技パネル６に関しては、遊技者からの視認性を最も考慮して前記約１０度の傾斜角度をつけて組み付けられており、また、上部パネル５及び下部パネル７に関しては、遊技者はもちろん、遠方からの表示内容の視認性を考慮して傾斜をつけずに組み付けられている。
【００８６】
また、図８及び図９に示されるように、左側板１５１Ｌの前端面には、前面扉３が回動する際において前面扉３における回動軸側端部と干渉するのを回避するための円弧状の切欠凹部１６６が上下方向にわたって凹設されている。この切欠凹部１６６は、左側板１５１Ｌの前端面における外端部から筐体２の内側に向かって凹むように設けられている。
【００８７】
（２−３）天板及び底板
天板１５０の前端面１５０ａにおける左側板１５１Ｌ側の端部には、図８（ａ）、（ｂ）に示されるように、前面扉３が回動する際にその端部が干渉するのを回避するための円弧状の切欠凹部１６７が外向きに凹設されている。切欠凹部１６７の曲率は、左側板１５１Ｌの前端面に形成された切欠凹部１６６と同一とされているため、前記切欠凹部１６６の内面上部と切欠凹部１６７の内面とで連続する円弧状の凹面が形成されるようになっている。
【００８８】
また、底板１５２の前端面１５２ａにおける左側板１５１Ｌ側の端部には、前記切欠凹部１６６の内面上部と切欠凹部１６７の内面とにより連続的に形成される円弧状の凹面と同形をなす切欠凹部１６８が形成されており、この切欠凹部１６８における左側板１５１Ｌ側端部内面は、前記切欠凹部１６６の内面に連続するようになっている。
【００８９】
このように筐体２側に切欠凹部１６６及び切欠凹部１６７、１６８が形成されていることで、図９（ａ）、（ｂ）に示されるように、前面扉３を開閉する際において、前面扉３の回動軸側端部と天板１５０、側板１５１Ｌ、１５１Ｒ、底板１５２の前端面との干渉が回避される。よって、例えば前面扉３を筐体２に回動自在に枢支するために特殊な蝶番（例えば多関節蝶番）等を用いる必要がなく、コストを低減できるとともに、切欠凹部１６６は左側板１５１Ｌの前端面における外端部から筐体２の内側に向かって凹むように設けられているため、図９（ａ）に示されるように前面扉３を閉塞した状態において左側板１５１Ｌの前端面と前面扉３の後端面との間に隙間が生じることがないので、外部からの不正行為が効果的に防止される。
【００９０】
また、天板１５０は、その後部側に左右方向を向く溝状の上部放熱穴１６４が左右に４つずつ形成されている。このように上部放熱穴１６４を細長溝状として複数設けることで、放熱効果を低減することなく、かつ、外部からの不正行為を極力行いにくくすることが出来る。また、天板１５０と対向する底板１５２には、スロットマシン１を遊技場の設置島に設置した際に当該設置島にメダルの自動循環補給装置が付設されている場合に、スロットマシン１内でオーバーフローしたメダルを回収樋へ排出するためのメダル回収開口１６５が開設されている。
【００９１】
なお、図８（ｂ）中に示される符号２７０は、メダル受皿１０を前面扉３に取り付けるためのネジ（図示略）が螺入されるメダル受皿取付用ネジ穴であり、２７１は、メダル受皿１０の上面に設けられる補強用鉄板をメダル受皿１０に取り付けるためのネジ（図示略）が螺入される補強用鉄板取付用ネジ穴である。
【００９２】
上記した天板１５０、左側板１５１Ｌ、右側板１５１Ｒ、底板１５２、及び背板１５３の組付けは、図１、図２及び図６〜図１０に示されるように、天板１５０を左右側板１５１Ｌ、１５１Ｒの内側に入れて挟持し、左右側板１５１Ｌ、１５１Ｒの底面を底板１５２の上面に当接するように載置するとともに、これら天板１５０、左右側板１５１Ｌ、１５１Ｒ、底板１５２の後端面を背板１５３の前面に当接し、それぞれの当接面を接着剤で接着し、且つ各板間に跨るようにタッカーを打ち付けて前面が開放したほぼ直方体を構成している。ただし、これだけでは強度的に弱いので、図１０及び図１１に示されるように、金属性の上部枠板１７０、左側部枠板１７１、右側部枠板１７２、底部枠板１７３で相互の板を連結固定している。
【００９３】
これら上部枠板１７０、左側部枠板１７１、右側部枠板１７２、底部枠板１７３は互いに連結されているので、いずれかの箇所で静電気が発生しても特にアースをしなくても全体的に自然放電することができ、遊技制御基板５００への悪影響を防止することができる。
【００９４】
なお、左側部枠板１７１には、前面扉３を回動自在に枢支する枢軸１８４Ｈ、１８４Ｌが上下所定箇所にそれぞれ設けられており、右側部枠板１７２には、前面扉３側に設けられる右側部錠板金の係合片（図示略）と係合する係合突片１８５Ｈ、１８５Ｌが上下所定箇所に設けられているとともに、前面扉３を閉じた際において、前記右側部錠板金に設けられるガイドローラ（図示略）が乗り上げて前面扉３を下方から支持する支持片として機能する載置片１８６が設けられている。また、底部枠板１７３には、ホッパーユニット５７がスライド係合するホッパーユニット係合レール２０１ａ、２０１ｂが設けられている。
【００９５】
また、図１０に示されるように、背板１５３の前面には、リールユニット５０を取り付けるためのリールユニット取付片１７４及びリールユニット係止片１７５、オーバーフロータンク５９内部のメダル量を検出するフルセンサ６０ａ、６０ｂ、電源ユニット６５の上部を押さえる電源ユニット押さえ金具２１０が取り付けられる。
【００９６】
以上説明してきたように、各種枠体や部品等が取り付けられた筐体２には、図１１に示されるように、ホッパーユニット５７、オーバーフロータンク５９、電源ユニット６５、外部出力基板５０５及び該外部出力基板５０５を取り付けるための外部出力基板取付部材３１５、遊技制御基板５００が収容された収容ケースとしての遊技制御基板ボックス３５０及び基板取付部材３５１が、ネジや種々の取付手段を介して筐体２内に配設される。以下、遊技制御基板５００が収容される遊技制御基板ボックス３５０の構成、及び筐体２内部への取り付け構造の詳細を、図１１〜図２３に基づいて説明する。
【００９７】
図１１は筐体２に装着される各種装置と筐体２との関係を示す斜視図であり、図１２は下部ケースを示す平面図、側面図であり、図１３（ａ）は図１２のＡ−Ａ断面図であり、（ｂ）は図１２のＢ−Ｂ断面図であり、（ｃ）は図１２のＣ−Ｃ断面図であり、図１４は上部ケースを示す平面図、側面図であり、図１５（ａ）は図１４のＤ−Ｄ断面図であり、（ｂ）は図１４のＥ−Ｅ断面図であり、（ｃ）は図１４のＦ−Ｆ断面図であり、（ｄ）は図１４のＧ−Ｇ断面図であり、図１６（ａ）は下部ケースを上部ケースにより閉塞する状態を示す一部破断断面図であり、（ｂ）は下部ケースを上部ケースにて閉塞した状態を示す要部断面図であり、（ｃ）、（ｄ）は（ｂ）の状態の要部拡大断面図であり、図１７は基板取付部材を示す平面図、側面図、背面図であり、図１８（ａ）は図１７のＨ−Ｈ断面図であり、（ｂ）は図１７のＩ−Ｉ断面図であり、（ｃ）は図１７のＪ−Ｊ断面図であり、（ｄ）は図１７のＫ−Ｋ断面図であり、（ｅ）は図１７のＬ−Ｌ断面図であり、図１９は背板に遊技制御基板ボックスを取り付ける状態を示す要部断面図であり、図２０は遊技制御ボックスの基板取付部材への取り付け状態を示す断面図であり、図２１の（ａ）〜（ｃ）は遊技制御ボックスを基板取付部材に取り付けるためのラッチの作用を示す断面図であり、図２２は同じく遊技制御ボックスの基板取付部材への取り付け状態を示す断面図であり、図２３（ａ）は第１封印シールを貼着した状態の上部ケースを示す要部平面図であり、（ｂ）は第２封印シールを貼着した状態の遊技制御基板ボックスを示す要部拡大断面図である。
【００９８】
（２−４）遊技制御基板ボックス
収容ケースとしての遊技制御基板ボックス３５０の詳細を図１２〜図１６に基づいて説明する。遊技制御基板ボックス３５０は、遊技制御基板５００の裏面側を覆うケース本体としての下部ケース３５２と、遊技制御基板５００の表面側を覆うケースカバーとしての上部ケース３５３と、から平面視略長方形状に構成され、遊技制御基板５００を表裏から挟持するように組み付けられるものである。
【００９９】
下部ケース３５２は、図１２、図１３に示されるように、上面が開放した直方体状に透明な合成樹脂によって成形されている。遊技制御基板５００の周囲を囲むように長方形状に形成される側壁３５４ａ〜３５４ｄの内面には、遊技制御基板５００の裏面周囲を支持する上下方向を向く支持リブ３５５が所定間隔おきに複数形成されている。側壁３５４ａ〜３５４ｄに囲まれる内側の四隅には、遊技制御基板５００を所定高さ位置に支持する支柱３５６が突設され、これら支柱３５６の上部には、図１３（ａ）に示されるように、位置決め突起３５７が上方に向けて突設されている。位置決め突起３５７の外径は、支柱３５６の外径よりも小寸に形成されているため、支柱３５６の上部外周には基板載置用段部３５８が形成されている。
【０１００】
側壁３５４ａ、３５４ｂよりも長寸の側壁３５４ｃ、３５４ｄ（長辺部）のうちの側壁３５４ｄの外側に形成された上部ケース取付部３６３における長手方向中央部には、図１３（ｂ）に示されるように、係止部としての係止爪挿入穴３５９が形成されている。この係止爪挿入穴３５９は、上部ケース３５３に突設形成される後述する第１の封止手段としての係止爪３８３ａを有する挿入部３８４が遊挿されるものであり、係止爪挿入穴３５９の上部開口端縁部３５９ａと係止爪３８３ａとが係合することにより、下部ケース３５２と上部ケース３５３とが遊技制御基板５００を被覆した状態で封止される。
【０１０１】
下部ケース３５２の側壁３５４ｄの外側における係止爪挿入穴３５９の両側方には、下部ケース３５２と上部ケース３５３とを開封不能に封止するためのカシメ用ネジ穴３６０ａ、３６０ｂと、予備ネジ挿入穴３６１ａ、３６１ｂとが左右にそれぞれ交互に並ぶように形成されている。カシメ用ネジ穴３６０ａ、３６０ｂは、上部ケース３５３の後述するカシメ用ネジ穴３８７ａ、３８７ｂに対応して設けられるものであり、後述する第２の封止手段を構成するワンウェイネジ４１０が螺着されるものである。予備ネジ挿入穴３６１ａ、３６１ｂは、予備のワンウェイネジ４１０を掛け止めておくための挿入穴である。また、上部ケース取付部３６３と側壁３５４ｄとの間には、上部ケース３５３の閉塞時に後述する上部ケース３５３の側壁３８２ｄが挿入される側壁挿入部３６２が形成されている。
【０１０２】
側壁３５４ｃの外面には、上部ケース３５３を一端を中心に回動自在に枢支するための枢支部としての枢軸３６４ａ、３６４ｂが相互の対向端面に形成される左右一対の突片３６５ａ、３６５ｂが、それぞれ所定間隔おきに３対突設されている。なお、それぞれの突片３６５ａ、３６５ｂの外面には補強用の補強リブ３６６が形成されている。
【０１０３】
さらに、側壁３５４ｃの外面における中央の突片３６５ｂの側方近傍には、後述する第２封印シール４２７の下端が貼着される封印シール貼着部の一部を構成する傾斜面部３６７が形成されている。傾斜面部３６７は、図１３（ｃ）に示されるように、側壁３５４ｃの外面下端から上下方向略中央部にかけて、上方に行くに従い外方に向けて膨出するように形成されており、その上端には上部ケース３５３の側壁３８２ｃの下端が載置する段部３６７ａが形成されている（図２３（ｃ）参照）。
【０１０４】
上部ケース３５３は、図１４、図１５に示されるように、下方が開放した下部ケース３５２よりも横長の直方体状に透明な合成樹脂により形成されている。上部ケース３５３の長手方向の中央部は、左右端部側よりも上方に膨出する膨出部３５３ａとされており、その膨出部３５３ａの上面における長手方向の左右端部には、多数の放熱孔３７０が穿設されている。膨出部３５３ａの左右端部のみに放熱孔３７０を穿設するのは、放熱孔３７０を膨出部３５３ａの中心部まで形成した場合には、その放熱孔から内部の遊技制御基板５００（ＲＯＭやＣＰＵ等の主要な電子部品が実装される領域）に対して不正行為が行なわれる可能性があるため、そのような行為ができないように膨出部３５３ａの左右端部だけに形成している。
【０１０５】
上部ケース３５３における膨出部３５３ａの両サイドには、図１４及び図１５（ａ）に示されるように、上向きに開放する凹部３７１、３７２が一体的に形成されており、これら凹部３７１、３７２の底面部には、遊技制御基板５００に実装される各種コネクタが臨むコネクタ穴３７３〜３７８が開設されている。凹部３７１の底面部には、遊技制御用コネクタが臨む遊技制御用コネクタ穴３７３、装飾ランプ用コネクタが臨む装飾ランプ用コネクタ穴３７４、電源用コネクタが臨む電源用コネクタ穴３７５、がそれぞれ開設され、凹部３７２の底面部には、リール制御用コネクタが臨むリール制御用コネクタ穴３７６、外部出力用コネクタが臨む外部出力用コネクタ穴３７７、正規の基板か否かを照合するための基板照合用コネクタが臨む基板照合用コネクタ穴３７８、がそれぞれ開設されている。なお、本実施形態においては、遊技制御基板ボックス３５０の両側からコネクタ接続されるようになっているが、これは、内部での配線接続をなるべく短くして配線の複雑化を防止するためである。
【０１０６】
また、凹部３７１、３７２の周縁部下面には、図１５（ａ）に示されるように、下部ケース３５２への装着時において遊技制御基板５００の上面に下端が当接する基板押え片３９６、３９７が下方に向けて垂設されている。この基板押え片３９６、３９７の下端が遊技制御基板５００の上面における左右側それぞれに当接することで、遊技制御基板５００の浮き上がりが防止されるようになっている。
【０１０７】
また、凹部３７２のさらに外方には、基板取付部材３５１への装着時に基板取付部材３５１の上面に当接する取付部材当接凹部３７９が一体形成されている。短寸の側壁３８２ｂ（短辺部）近傍に設けられる取付部材当接凹部３７９の底面部には、後述する遊技制御基板ボックスの取付手段における固着部材であるラッチ４３０が挿入されるラッチ挿入穴３８０と、同じく固着部材としてのネジ４２５が螺入されるネジ穴３８１と、が形成されている。ラッチ挿入穴３８０は、図１５（ａ）に示されるように、ラッチ４３０のフランジ部４３４を収容する大径部３８０ａと該大径部３８０ａに連設する小径部３８０ｂとから構成されている。
【０１０８】
長寸の側壁３８２ｄ（長辺部）の外面における膨出部３５３ａの長手方向略中央部には、下部ケース３５２の係止爪挿入穴３５９に挿入されて係合する第１封止手段を構成する上向きの係止爪３８３ａが外面に形成された係止片３８３が突設形成されている。係止片３８３は、側壁３８２ｄ外面に連設形成された上面が開口する箱状の挿入部３８４の前壁部左右端に、上下方向を向く切欠部３８５ａ、３８５ｂを形成することにより弾性変形自在に形成されており、この弾性変形作用により下部ケース３５２の上部開口端縁部３５９ａに係止爪３８３ａを係脱させることが出来るようになっている。
【０１０９】
また、側壁３８２ａ、３８２ｂ（短辺部）よりも長寸の側壁３８２ｃ、３８２ｄ（長辺部）のうちの側壁３８２ｄ外面における挿入部３８４の左右側方には、複数のカシメ用ボス３８６ａ、３８６ｂが一体的に形成されている。カシメ用ボス３８６ａ、３８６ｂは、前記カシメ用ネジ穴３６０ａ、３６０ｂに対応するように形成されるものであり、図１５（ｂ）に示されるように、その中心にはカシメ用ネジ穴３８７ａ、３８７ｂが穿設されているとともに、その上端部からは、上部ケース取付部３６３と平行となる方向に予備ネジ押え板３８８ａ、３８８ｂが突設されており、これらカシメ用ボス３８６ａ、３８６ｂは、切断片３８９ａ、３８９ｂを介して側壁３８２ｄと連結されている。なお、カシメ用ネジ穴３８７ａ、３８７ｂは、図１５（ｂ）に示されるように、後述するワンウェイネジ４１０の頭部４１０ａを収容可能な大径部３８７’と、大径部３８７’に連設される小径部３８７’’とから構成される。
【０１１０】
膨出部３５３ａの側壁３８２ｅの外面における下部ケース３５２の傾斜面部３６７に対応する箇所には、上端から側壁３８２ｃに向かって外方に膨出する傾斜面部３９０が、特に図１５（ｄ）に示されるように、その傾斜面の下部が側壁３８２ｃの外面に連続するように形成されている。すなわち、その傾斜面部３９０が形成された部分のみ、側壁３８２ｅとその下方の側壁３８２ｃの外面との間の段部がない平面が形成されている。
【０１１１】
側壁３８２ｃの外面には、図１４及び図１５（ｃ）に示されるように、下部ケース３５２の枢軸３６４ａ、３６４ｂに枢支される側面視略Ｊ字状をなす外向きの軸受け片３９１ａ、３９１ｂが、長手方向に所定間隔おきに３対形成されており、これら左右一対の軸受け片３９１ａ、３９１ｂは連結片３９２により連結されている。また、側壁３８２ｃにおける各軸受け片３９１ａ、３９１ｂの外方には、下部ケース３５２の突片３６５ａ、３６５ｂとの干渉を避けるための切欠部３９３ａ、３９３ｂがそれぞれ形成されている。
【０１１２】
側壁３８２ａの長手方向左右端部には、後述する基板取付部材３５１への取付け時において、基板取付部材３５１の係止被覆片挿入口４１７ａ、４１７ｂに挿入するとともに、基板取付部材３５１を背板１５３に止着するネジ４１６を被覆する係止被覆片３９４ａ、３９４ｂが外向きに突設されている。係止被覆片３９４ａ、３９４ｂは板状片からなり、その下面における長辺部には、先端に行くに従い先細りになるテーパ状の補強リブ３９５がそれぞれ形成されている。
【０１１３】
次に、下部ケース３５２の上面開口を上部ケース３５３により閉塞するには、まず、図１６（ａ）に示されるように、左右一対の枢軸３６４ａ、３６４ｂそれぞれに軸受け片３９１ａ、３９１ｂを係止させた状態で、枢軸３６４ａ、３６４ｂを中心に上部ケース３５３を下部ケース３５２方向に回転させ、上部ケース３５３を下部ケース３５２に嵌め合わせる。この際、各カシメ用ネジ穴３８７ａ、３８７ｂとカシメ用ネジ穴３６０ａ、３６０ｂとが合致して位置決めされると共に、予備ネジ押え板３８８ａ、３８８ｂが予備ネジ挿入穴３６１ａ、３６１ｂの上方を閉塞することとなる。このため、上部ケース３５３を下部ケース３５２に嵌め合わせる前に、予め左右４つずつの予備ネジ挿入穴３６１ａ、３６１ｂに予備のワンウェイネジ４１０を挿入しておく。
【０１１４】
また、上部ケース３５３を下部ケース３５２に嵌め合わせると、図１６（ｃ）に示されるように、上部ケース３５３の挿入部３８４が下部ケース３５２の係止爪挿入穴３５９内に挿入される。この際、係止片３８３が弾性変形して係止爪３８３ａが係止爪挿入穴３５９の上部開口端縁部３５９ａに係止されるため、係止片３８３を変形させて係止作用を解除しない限り上部ケース３５３を開放することが出来なくなる。さらにこの状態において、図１６（ｂ）に示されるように、下部ケース３５２内に装着された遊技制御基板５００の上面に前記基板押え片３９６、３９７の下端が当接して遊技制御基板５００の浮き上がりが防止される。
【０１１５】
このように上部ケース３５３を下部ケース３５２に嵌め合わせた後、例えば挿入部３８４の左方の４つのカシメ用ネジ穴３８７ａ、３６０ａのうち挿入部３８４から最も遠いカシメ用ネジ穴３８７ａ、３６０ａと、挿入部３８４の右方の４つのカシメ用ネジ穴３８７ｂ、３６０ｂのうち挿入部３８４に最も近いカシメ用ネジ穴３８７ｂ、３６０ｂと、にワンウェイネジ４１０を螺着することにより、ワンウェイネジ４１０による螺着作用によってその反対側の長辺部の軸受け片３９１ａ、３９１ｂに枢支された枢軸３６４ａ、３６４ｂが軸受け片３９１ａ、３９１ｂから逸脱不能となるため、上部ケース３５３と下部ケース３５２とが分離不能に封止される。
【０１１６】
ワンウェイネジ４１０は、周知のように、一方向の回転によってネジを螺着することができるが、他方向の回転を行なおうとしても回転することができないため、そのネジを緩めることができない機能を有するネジである。したがって、上部ケース３５３と下部ケース３５２とを分離して開封するためには、例えば封止関連部位である切断部３８９ａ、３８９ｂを切断すること等により、ワンウェイネジ４１０で螺着されたカシメ用ボス３８６ａ、３８６ｂを上部ケース３５３から分離するより他に手立てはない。しかして、例えば内部のＲＯＭの検査等の正式な検査によって切断部３８９ａ、３８９ｂを切断した場合には、検査後、予備ネジ挿入穴３６１ａ、３６１ｂに挿入されていたワンウェイネジ４１０を取り出し、切断されていない設断片３８９ａ、３８９ｂのいずれかのカシメ用ボス３８６ａ、３８６ｂを利用して、前述と同様に、取り出したワンウェイネジ４１０を螺着することにより、再度切断部３８９ａ、３８９ｂを切断しない限り上部ケース３５３と下部ケース３５２とを分離できない状態に封止することができる。このような切断部３８９ａ、３８９ｂの切断は、本実施形態の場合、カシメ用ボス３６０ａ、３６０ｂが左右に４個ずつあるので、最高３回繰返すことができる。
【０１１７】
さらに、カシメ用ネジ穴３８７ａ、３６０ａ、３８７ｂ、３６０ｂに螺着されたワンウェイネジ４１０の頭部４１０ａが収容された大径部３８７’内には、紫外線硬化樹脂等が充填され、ワンウェイネジ４１０の頭部４１０ａに形成されたドライバー等の係止溝を埋められるため、ワンウェイネジ４１０の取り出しがより困難となり、引いては上部ケース３５３と下部ケース３５２との分離がより困難となる。
【０１１８】
このように、上部ケース３５３及び下部ケース３５２に設けられたカシメ用ボス３８６ａ、３８６ｂ及びカシメ用ネジ穴３６０ａ、３６０ｂが、平面視長方形状の上部ケース３５３及び下部ケース３５２における側壁のうち、短寸の側壁（短辺部）よりも撓みが生じやすい長寸の側壁３８２ｄ、３５４ｄ（長辺部）から外方に向けて突設されていることにより、ワンウェイネジ４１０による螺着部が長寸の側壁３８２ｄ、３５４ｄに形成されることになり、上部ケース３５３を撓ませて下部ケースとの間に隙間を形成することが困難となるため、外部から針金等を挿入すること等による不正行為が効果的に防止される。
【０１１９】
また、上部ケース３５３の長寸の側壁３８２ｄにおける長手方向の略中央位置に第１の封止手段としての係止爪３８３ａを有する係止片３８３が設けられ、その両側に第２の封止手段としてのワンウェイネジ４１０が螺入されるカシメ用ボス３８６ａ、３８６ｂがそれぞれ設けられることで、上部ケース３５３と下部ケース３５２とを封止する封止手段が上部ケース３５３における長辺部の長手方向にわたって設けられることになるため、上部ケース３５３と下部ケース３５２との間に隙間を開けることがより困難となるばかりか、仮に係止爪３８３ａによる封止が解除された場合でも、その両側はワンウェイネジ４１０により封止されていることになり、封止箇所が偏ることがないので、確実に封止することが出来る。
【０１２０】
また、本実施例においては、例えば一旦開放不能に封止した上部ケース３５３が切断片３８９ａ、３８９ｂの切断により開封された場合、切断された切断片３８９ａ、３８９ｂより先のカシメ用ボス３８６ａ、３８６ｂがワンウェイネジ４１０とともに下部ケース３５２側に残るように、カシメ用ネジ穴３６０ａ、３６０ｂが下部ケース３５２の長辺部長手方向にわたって一連に形成される上部ケース取付部３６３に形成されているため、開封時に破壊された封止関連部位（切断片３８９ａ、３８９ｂやカシメ用ボス３８６ａ、３８６ｂ等）が遊技制御基板ボックス３５０から分離することがないので、封止関連部位の除去作業等が不要となる。
【０１２１】
また、挿入部３８４を挟んで４つずつ設けられている左側のカシメ用ボス３８６ａ、３６０ａ及び右側のカシメ用ネジ穴３８６ｂ、３６０ｂの使用順序は、前述のように左側のカシメ用ボス３８６ａ、３６０ａ及び右側のカシメ用ネジ穴３８６ｂ、３６０ｂそれぞれの左端から順に使用していくものに限定されるものではなく、例えば左右それぞれの右端から順に使用していく等任意であるが、前述のようにそれぞれ同時に使用する左側のカシメ用ボス３８６ａ、３６０ａと右側のカシメ用ネジ穴３８６ｂ、３６０ｂとの距離が、複数回の使用の際において全て等間隔となるように使用することが好ましい。
【０１２２】
（２−５）基板取付部材
基板取付部材３５１の詳細を図１７、図１８に基づいて説明すると、基板取付部材３５１は、透明な合成樹脂からなる平板部材からなり、平板部４１２の周囲には側壁４１１ａ〜４１１ｄが一体成型されている。平板部４１２は、図１８（ａ）に示されるように、側壁４１１ａ〜４１１ｄの上下方向略中央部よりも若干下方位置に連設されており、遊技制御基板ボックス３５０が取り付けられる基板取付部材３５１の前面側には側壁４１１ａ〜４１１ｄにより囲まれた遊技制御基板ボックス３５０の設置用凹部としての基板ボックス取付用凹部４３６が形成されている。よって、遊技制御基板ボックス３５０のうちの下部ケース３５２の下半部が基板ボックス取付用凹部４３６内に嵌合され、下部ケース３５３の水平方向の移動が側壁４１１ａ〜４１１ｄにより規制されるようになっている。
【０１２３】
また、側壁４１１ｃ、４１１ｄの内面には、基板ボックス取付用凹部４３６内に嵌合される下部ケース３５２の周面を移動不能にガイドする下部ケースガイド片４２９が、所定間隔おきにそれぞれ３つずつ形成されている。また、平板部４１２の裏面には、各側壁４１１ａ〜４１１ｄから連設される補強用リブ４１３が格子状に形成されている。
【０１２４】
側壁４１１ａは、図１８（ｃ）に示されるように、他の側壁４１１ｂ〜４１１ｄよりも高くなっており、その外面における側壁４１１ｃ、４１１ｄ、と同高さ位置からは、水平方向を向く固定片４１４が外方に向けて連設されている。固定片４１４にはネジ穴４１５が長手方向端部寄りにそれぞれ形成されており、このネジ穴４１５に基板取付部材固定手段としてのネジ４１６（図１１及び図１９参照）を止着することにより基板取付部材３５１の一端部側を背板１５３に固着することが出来るようになっている。
【０１２５】
また、平板部４１２、側壁４１１ａ、固定片４１４における２つのネジ穴４１５それぞれの近傍には、互いに向き合う方向に開口する切欠部が形成されており、これら各切欠部により前記係止被覆片３９４ａ、３９４ｂが挿入する係止被覆片挿入口４１７ａ、４１７ｂが形成されている。
【０１２６】
側壁４１１ｂの上端からは、水平方向を向く固定片４１８が外方に向けて連設されている。固定片４１８の長手方向端部寄りにはネジ穴４１９がそれぞれ１つずつ形成されており、このネジ穴４１９に基板取付部材固定手段としてのネジ４２０（図１１及び図１９参照）を止着することにより基板取付部材３５１の一端部側を背板１５３に固着することが出来るようになっている。また、これら２つのネジ穴４１９の間には、前記ラッチ挿入穴３８０に対応するラッチ挿入穴４２１が形成されているとともに（図１８（ｂ）参照）、前記ネジ穴３８１に対応するネジ穴４２２が形成されている。
【０１２７】
また、固定片４１８の後面におけるネジ穴４２２周りには、図２８（ｄ）に示されるように、例えば図示しない六角ナット等を収容するナット収容凹部４３７が形成されている。このナット収容凹部４３７は、図示しない金属製の六角ナット等を収容した状態で内部に接着剤等を塗布してナットを固着してネジ穴を形成するためのものである。このようにすることで、ネジ４２０のネジ穴が金属材に形成されるため、固定強度が著しく向上するとともに、ネジ４２０の螺入を複数回繰り返してもネジ穴の周辺が削られることがないので、基板取付部材３５１の耐久性が効果的に向上することになる。
【０１２８】
固定片４１８の上面には、装着される上部ケース３５３の側壁３８２ｂの下端と固定片４１８との間に形成されうる隙間を隠蔽するための防犯用突片４２３が長手方向の端縁部に沿って上向きに連続的に形成されている。また、固定片４１８の裏面には、ラッチ挿入穴４２１及びネジ穴４２２の下方周囲を覆うように補強用リブ４２４が下方に向けて垂設されている。
【０１２９】
なお、図１７及び図１８（ｅ）に示されるように、側壁４１１ｃの内面における前記傾斜面部３６７に対応する箇所には、後述するように傾斜面部３６７外面に貼着される第２封印シール４２７との干渉を避けるための第２封印シール収容溝４２８が形成されている。
【０１３０】
以上、遊技制御基板ボックス３５０を構成する下部ケース３５２と上部ケース３５３の詳細な構成について説明してきたが、以下、基板取付部材３５１の背板１５３への取付け状況、並びに遊技制御基板５００を内部に収容した遊技制御基板ボックス３５０の基板取付部材３５１への取り付け状況を図１１及び図１９〜図２３に基づいて説明する。
【０１３１】
（２−６）基板取付部材への遊技制御基板ボックスの取り付け
基板取付部材３５１は、図１１及び図１９に示されるように、背板１５３の前面側から長方形状に形成された側壁４１１ａ〜４１１ｄを基板取付用開口１５４内に、また、基板取付用開口１５４の短辺部に形成された膨出部１５４ａ内に補強用リブ４２４を隙間なく嵌め込み、左右の固定片４１４、４１８の裏面を背板１５３の前面に当接させた状態で、ネジ穴４１５、４１９にネジ４１６、４２０を止着することにより背板１５３に取り付けられる。
【０１３２】
基板取付部材３５１が背板１５３に取り付けられた状態において、図１９に示されるように、基板取付用開口１５４は基板取付部材３５１により閉塞されるとともに、基板ボックス取付用凹部４３６の底部をなす平板部４１２は基板取付用開口部１５４内に入り込み、背板１５３の前面から距離Ｐ４に示す寸法分後方に退避した後方位置に配置されることになる。
【０１３３】
このように背板１５３に取り付けられた基板取付部材３５１の前面に形成された基板ボックス取付用凹部４３６内には、図１６にて説明したように、遊技制御基板５００を内部に収容した状態で開封不能に封止された遊技制御基板ボックス３５０が取り付けられる。詳しくは、図１９中２点鎖線で示されるように、まず上部ケース３５３のラッチ挿入穴３８０内にラッチ４３０を予め取り付けておき、基板ボックス３５０の係止被覆片３９４ａ、３９４ｂを、その先端が固定片４１４の前方に突出するように係止被覆片挿入口４１７ａ、４１７ｂ内に挿入した状態で、基板ボックス３５０における係止被覆片３９４ａ、３９４ｂの反対側を基板取付部材３５１の前面に押し当てる。
【０１３４】
この状態で、係止被覆片３９４ａ、３９４ｂが係止被覆片挿入口４１７ａ、４１７ｂの開口周縁部に係止されるとともに、図２０に示されるように、ラッチ４３０の一部が前記ラッチ挿入穴４２１内に嵌合されることで、基板ボックス３５０は基板取付部材３５１の前面側に係止される。
【０１３５】
ここで、ラッチ４３０の構成を図２１に基づいて簡単に説明すると、ラッチ４３０は、連結する部材それぞれに形成される穴部内に嵌合されるブッシュ４３１と、ブッシュ４３１内に進退自在に嵌合される操作ピン４３２と、から構成されている。ブッシュ４３１は、その周面に複数の切欠溝が形成されており、操作ピン４３２が内部に押し込まれて操作ピン４３２の先端に押圧されることにより外向きに広がるように弾性変形する複数の固定片４３３を有しているとともに、これら固定片４３３の基端側には、ブッシュ４３１の抜け止め用のフランジ部４３４が形成されている。また、各固定片４３３の先端側内面には、操作ピン４３２の戻りを防止するための内向きの凸条４３５が環状に形成されている。
【０１３６】
操作ピン４３２は、ブッシュ４３１の貫通穴４３１ａ内に摺動自在に挿入されるピン部材４３２ａと、その端部側に取り付けられる操作部４３２ｂと、からなり、ピン部材４３２ａにおける操作部４３２ｂと反対側の先端部４３２ｃは若干拡径しており、貫通穴４３１ａ内からのピン部材４３２ａの逸脱が防止されている。
【０１３７】
図２０に戻って、基板ボックス３５０が基板取付部材３５１の前面側に係止された状態において、前方に突出している操作ピン４３２を拡大図中の矢印の方向、すなわち後方に向けて強く押し込むことで、上部ケース３５３を固定片４１８に固定する。ここでラッチ４３０による作用を説明すると、図２１（ｂ）に示されるように、操作ピン４３２が後方に位置している状態から、図２１（ｃ）に示されるように操作ピン４３２を後方に向けて強く押し込むと、押し込まれたピン部材４３２ａの先端部４３２ｃにより各固定片４３３が外向きに押し広げられることにより、各固定片４３３の外周面がラッチ挿入穴３８０、４２１の内周面に押圧されるとともに、この状態において、操作ピン４３２の後退移動が、その先端部４３２ｃと凸条４３５との係止作用により規制されるため、基板ボックス３５０と基板取付部材３５１とがラッチ４３０により互いに離間不能に連結されて仮固定される。
【０１３８】
なお、この状態から押し込んだピン部材４３２を手前側に引き出せば、基板ボックス３５０と基板取付部材３５１との連結を容易に解除することが出来る。
【０１３９】
さらにラッチ４３０による仮固定の後、図２２に示されるように、前記ネジ穴３８１、４２１にネジ４２５を螺着することで、基板ボックス３５０と基板取付部材３５１とが確実に連結固定され、基板ボックス３５０の基板取付部材３５１からの離脱が防止されることになる。
【０１４０】
このようにラッチ４３０及びネジ４２５による固定にて基板ボックス３５０が基板取付部材３５１の前面側から離脱不能に固着されることで、図１９、図２０、図２２に示されるように、基板ボックス３５０の平板部４１２上でのスライド移動が規制され、係止被覆片挿入口４１７ａ、４１７ｂからの係止被覆片３９４ａ、３９４ｂの逸脱が防止されるため、係止被覆片３９４ａ、３９４ｂの係止作用及びラッチ４３０及びネジ４２５による固着作用にて、基板ボックス３５０は基板取付部材３５１の前面側に離脱不能に取り付けられることになる。
【０１４１】
また、前記平板部４１２は、基板取付用開口１５４の内部における背板１５３の前面よりも後方位置に配置されているので、基板ボックス３５０が基板取付部材３５１に取り付けられた状態において、下部ケース３５２の底部が、基板取付部材３５１の側壁４１１ａ〜４１１ｄ及び平板部４１２にて形成される前方に開口する基板ボックス取付用凹部４３６内に収容されることになる。よって、遊技制御基板ボックス３５０を、その一部が背板１５３内に埋め込まれるように、すなわち、基板取付用開口１５４の内部に入り込むように取り付けることが出来る。
【０１４２】
このように壁部としての背板１５３に取り付けられた制御基板ボックス３５０の少なくとも一部が背板１５３の厚み方向に入り込むことで、筐体２の内部スペースにおける制御基板ボックス３５０の占有率を小さくすることが出来、これにより筐体２の内部に配設される他の種々の装置や部材等の配置自由度が高まるため、限られた筐体２の内部スペース内に種々の装置や部材等を効率よく配設することが出来る。また、基板取付用開口１５４が基板取付部材３５１にて閉塞されることで、背板１５３の一部が開口することがないので、筐体２の外部からの不正行為が効果的に防止される。
【０１４３】
なお、本実施例においては、制御基板ボックス３５０は背板１５３の所定箇所に設けられた基板取付用開口１５４内に入り込むように設けられていたが、例えば筐体２を構成する左右の側板１５１Ｌ、１５１Ｒや天板１５０、底板１５２の内面所定箇所にこのような開口部を設け、これに入り込むように制御基板ボックス３５０を設けてもよい。
【０１４４】
さらに、例えば基板取付部材が左右一対の部材から構成されている場合、背板１５３に別々に取り付けることになるため、個々の部材の取り付け位置の精度を高めないと遊技制御基板ボックス３５０をうまく取り付けられないことがあるが、遊技制御基板ボックス３５０を配設するための基板ボックス取付用凹部４３６は、背板１５３に形成された基板取付用開口１５４に嵌合される単一の部材からなる基板取付部材３５１上に形成されているため、基板取付部材３５１を背板１５３に取り付ける際における基板取付部材の取り付け位置調整等が不要になり、背板１５３への取り付けが容易になるばかりか、部品点数が少なくなるので製造コストの低減を図ることが出来る。
【０１４５】
また、本実施例においては、壁部としての背板１５３に、遊技制御基板ボックス３５０の少なくとも一部を入り込ませることが出来る基板取付用開口１５４を形成し、該基板取付用開口１５４内に基板取付部材３５１の基板ボックス取付用凹部４３６が嵌合され、この基板ボックス取付用凹部４３６に遊技制御基板ボックス３５０が取り付けられるようになっていたが、本発明はこれに限定されるものではなく、例えば遊技制御基板ボックス３５０の少なくとも一部を基板取付用開口１５４内に直接入り込ませるようにして背板１５４に直接取り付けてもよい。
【０１４６】
また、背板１５３の内面の所定箇所を直接凹設加工したり、背板１５３の一部を外側に膨出させること等により、遊技制御基板ボックス３５０の少なくとも一部を入り込ませることが出来る内側に開放する凹部を形成してもよい。さらにこのように背板１５３の一部に内側に開放する凹部を直接形成した場合、その凹部の底面の少なくとも一部を透明な部材にて構成し、この凹部に配置された遊技制御基板ボックス３５０を筐体２の外部から視認出来るようにすることで、筐体２から遊技制御基板ボックス３５０を取り出さなくても、遊技制御基板ボックス３５０の状況を筐体２の外部から目視により確認することが出来るため、不正行為を直ちに発見することが出来る。
【０１４７】
また、図１９中実線で示されるように、基板取付部材３５１の前面側に遊技制御基板ボックス３５０が取り付けられた状態において、基板取付部材３５１を背板１５３に止着するネジ４１６の頭部が係止被覆片３９４ａ、３９４ｂにより覆われるとともに、他方のネジ４２０の頭部が上部ケース３５３により覆われて、外部から触れることが困難となるため、ネジ４１６、４２０を取り外して基板取付部材３５１を背板１５３から取り外すことで真正の遊技制御基板ボックス３５０を持ち出して不正な改造が施された遊技制御基板５００が収容された制御基板ボックスにすり替えられるといった不正行為が効果的に防止される。
【０１４８】
さらに、基板取付部材３５１の前面側に遊技制御基板ボックス３５０が取り付けられた状態において、図２２及び図２３（ａ）に示されるように、上部ケース３５３における取付部材取付け凹部３７９の上面には、第１封印シール４２６が貼着されて取付部材取付け凹部３７９の上面開口が閉塞されて、ラッチ４３０及びネジ４２５が隠蔽される。
【０１４９】
また、図２２及び図２３（ｂ）に示されるように、上下の傾斜面部３６７、３９０及び傾斜面部３６７と傾斜面部３９０との間の側壁３８２ｃ外面の一部により構成される第２封印シール貼着部には、第２封印シール４２７が貼着される。なお、この第２封印シール貼着部は、図２３（ｂ）に示されるように、上下の傾斜面部３６７、３９０により、下部ケース３５２の下端から上部ケース３５３の上端にかけて連続する平面状の貼着面が形成されるため、第２封印シール４２７を隙間のない密着状態で貼着することが出来、これにより剥離が困難とされている。これにより上下の傾斜面部３６７、３９０により形成された封印シール貼着面に第２封印シール４２７が剥離された痕跡が残りやすくなるため、不正行為が行われたことを発見しやすくなる。
【０１５０】
なお、これら第１封印シール４２６及び第２封印シール４２７は、表面に偽造が困難な模様等が印刷されているとともに、裏面には粘着性の高い粘着剤が塗布されており、一旦貼着すると剥離が極めて困難となるとともに、剥離されたときにはその痕跡が貼着面に確実に残るように構成されている。
【０１５１】
したがって、第１封印シール４２６が貼着されていることにより、第１封印シール４２６を破損しない限り、ラッチ４３０やネジ４２５を取り外すことは出来ないので、遊技制御基板ボックス３５０を基板取付部材３５１から取り外すことができない。つまり、第１封印シール４２６が破損していれば、遊技制御基板ボックス３５０がすり替えられて遊技制御基板ボックス３５０に収容される遊技制御基板５００に何らかの不正改造が行なわれた可能性もあることになり、不正の発見を容易に行なうことができる。
【０１５２】
また、第２封印シール４２７が貼着されていることにより、第２封印シール４２７を破損しない限り、上部ケース３５３を下部ケース３５２から開封することは出来ない。つまり、第２封印シール４２７が破損していれば、上部ケース３５３が開放されて遊技制御基板ボックス３５０に収容される遊技制御基板５００に何らかの不正改造が行なわれた可能性もあることになり、不正の発見を容易に行なうことができる。
【０１５３】
以上説明したように、遊技制御基板ボックス３５０は、上部ケース３５３と下部ケース３５２との封止に関連する封止関連部位としてのワンウェイネジ４１０、カシメ用ボス３８６ａ、３８６ｂ、切断片３８９ａ、３８９ｂ、第２封印シール４２７等を破壊しない限り、上部ケース３５３を開封することが出来ないため、不正行為が困難となるとともに、開放された際にはその痕跡が残るため、不正行為があったことを直ちに発見することが出来る。
【０１５４】
また、下部ケース３５２と上部ケース３５３との封止を、封止作業が容易な第１の封止手段である係止爪３８３ａと、不正行為がなされた場合において痕跡が残り得るように封止する第２の封止手段であるワンウェイネジ４１０と、により効率よく行うことが出来るとともに、これら係止爪３８３ａ及びワンウェイネジ４１０が上部ケース３５３の長辺部に設けられることで、例えば封止関連部位を破壊することなく上部ケース３５３の長辺部を撓ませて上部ケース３５３と下部ケース３５２との間に隙間を開けること等が困難となり、ケース外部から針金を差し込むこと等による遊技制御基板５００への不正行為を効果的に防止出来る。
【０１５５】
また、基板取付部材３５１に遊技制御基板ボックス３５０が取り付けられた状態において、例えば取付手段であるラッチ４３０やネジ４２５が下部ケース３５２に設けられている場合には係止爪３８３ａ及びワンウェイネジ４１０による封止が解除されると上部ケース３５３が開封する可能性があるが、ラッチ４３０やネジ４２５が上部ケース３５３に設けられることで、仮に係止爪３８３ａ及びワンウェイネジ４１０による封止が解除されてもラッチ４３０及びネジ４２５や係止被覆片３９４ａ、３９４ｂによる取付作用により上部ケース３５３が開封することがないばかりか、さらにラッチ４３０及びネジ４２５や係止片３９４ａ、３９４ｂが上部ケース３５３の短辺部に設けられることで、上部ケース３５３全体を偏りなく封止することが出来るので、上部ケース３５３を開封させることによる不正行為を効果的に防止することが出来る。
【０１５６】
また、遊技制御基板ボックス３５０は、遊技制御基板ボックス３５０と基板取付部材３５１との取付けに関連する取付け関連部位としての係止被覆片３９４ａ、３９４ｂや第１封印シール４２６等を破壊してラッチ４３０及びネジ４２５を取り外さない限り基板取付部材３５１から取り外すことが出来ないため、不正行為が困難となるとともに、取り外された際にはその痕跡が残るため、不正行為があったことを直ちに発見することが出来る。
【０１５７】
また、遊技制御基板ボックス３５０を構成する上部ケース３５３及び下部ケース３５２は透明な合成樹脂により全体が透明部にて構成されているため、内部に収容された遊技制御基板５００の特に制御手段としてのＣＰＵ等に不正な改造が施されていないかどうかを、下部ケース３５２から上部ケース３５３を開放しない状態で外部から確認することが出来るため、不正行為を直ちに発見できる。
【０１５８】
さらに、基板取付部材３５１も透明な合成樹脂により全体が透明部にて構成されているため、遊技制御基板ボックス３５０を背板１５３に取り付けた状態において、筐体２の外部から、基板取付用開口１５４及び基板取付部材３５１を通して遊技制御基板ボックス３５０の状態を確認することが出来るため、不正行為を直ちに発見できる。
【０１５９】
また、本実施例においては、遊技に関連する制御を行う制御手段としての遊技制御基板５００を収容する遊技制御基板ボックス３５０を、筐体２内に設けた凹部に入り込むように配設していたが、例えば収容ケース内に収容した状態で筐体２内に配設する回路基板は、遊技に関連する制御を行う制御手段の他の一例である制御部（図示略）が設けられた演出制御基板５０１等を収容した収容ケース等を、遊技制御基板５００と同様の方法にて筐体２内に配設するようにしてもよい。
【０１６０】
前記実施例における各要素は、本発明に対して以下のように対応している。
【０１６１】
本発明の請求項１は、１ゲームに対して賭数を設定することによりゲームが開始可能となるとともに、表示状態を変化させることが可能な可変表示装置（リールユニット５０）の表示結果が導出表示されることにより１ゲームが終了し、該可変表示装置の表示結果に応じて所定の入賞が発生可能なスロットマシン（１）であって、
前記スロットマシンの本体（筐体２の背板１５３）には、遊技に関連する制御を行う制御手段が設けられた制御基板（遊技制御基板５００）が収容された平面視略長方形状をなす収容ケース（遊技制御基板ボックス３５０）が配設されており、
該収容ケースは、ケース本体（下部ケース３５２）とケースカバー（上部ケース３５３）とから開封自在に構成され、
前記ケース本体と前記ケースカバーとは、該ケース本体と該ケースカバーとの封止状態を容易に解除することが出来る第１の封止手段（係止片３８３の係止爪３８３ａ）と、封止に関連する封止関連部位（切断片３８９ａ、３８９ｂやカシメ用ボス３８６ａ、３８６ｂ等）を破壊しない限り前記ケース本体と前記ケースカバーとの封止状態を解除することが出来ない第２の封止手段（ワンウェイネジ４１０、カシメ用ボス３８６ａ、３８６ｂ）と、により封止された状態で前記スロットマシンの本体に取付手段（ラッチ４３０、ネジ４２５、係止被覆片３９４ａ、３９４ｂ）を介して取り付けられており、
前記第１の封止手段及び前記第２の封止手段は前記ケースカバーの長辺部（側壁３８２ｄ）に設けられているとともに、前記取付手段は前記ケースカバーの短辺部（側壁３８２ａ、３８２ｂ）に設けられている。
【０１６２】
本発明の請求項２は、前記ケースカバー（上部ケース３５３）の長辺部（側壁３８２ｄ）における長手方向の略中央位置に前記第１の封止手段（係止片３８３の係止爪３８３ａ）が設けられ、該第１の封止手段の両側に前記第２の封止手段（ワンウェイネジ４１０、カシメ用ボス３８６ａ、３８６ｂ）がそれぞれ配設されている。
【０１６３】
本発明の請求項３は、前記ケースカバー（上部ケース３５３）における互いに対向する２つの長辺部のうちの一方（側壁３８２ｃ）に前記ケースカバーを前記ケース本体（下部ケース３５２）に対して回動自在に枢支する枢支部（軸受け片３９１ａ、３９１ｂ）が形成され、
前記ケースカバーにおける他方（側壁３８２ｄ）に前記第１の封止手段（係止片３８３の係止爪３８３ａ）及び前記第２の封止手段（ワンウェイネジ４１０、カシメ用ボス３８６ａ、３８６ｂ）が設けられている。
【０１６４】
本発明の請求項４は、前記取付手段は、前記スロットマシンの本体（基板取付部材３５１の係止被覆片挿入口４１７ａ、４１７ｂ）に係脱自在な取付用係止片（係止被覆片３９４ａ、３９４ｂ）と、前記取付用係止片と前記スロットマシンの本体との係止状態が解除不能となるように前記収容ケース（遊技制御基板ボックス３５０）を固着する固着部材（ラッチ４３０、ネジ４２５）と、から構成され、
前記取付用係止片は前記ケースカバー（上部ケース３５３）における互いに対向する２つの短辺部における一方（側壁３８２ａ）に設けられ、前記固着部材は前記ケースカバーにおける他方（側壁３８２ｂ）に設けられている。
【０１６５】
本発明の請求項５は、前記ケース本体（下部ケース３５２）及び前記ケースカバー（上部ケース３５３）には、封止時において平面状の貼着面を形成する封印シール貼着部（傾斜面部３６７、３９０）がそれぞれ形成されており、
前記ケース本体及び前記ケースカバーの封印シール貼着部に跨るように封印シール（第２封印シール４２７）が貼着されている。
【０１６６】
本発明の請求項６は、前記収容ケース（遊技制御基板ボックス３５０）は、該収容ケースの設置用凹部（基板ボックス取付用凹部４３６）を備えた基板取付部材（３５１）を介して前記スロットマシンの本体（背板１５３）に取り付けられ、
該基板取付部材は、前記収容ケースの設置用凹部の一部が前記スロットマシンの本体を構成する壁部（背板１５３）に形成された開口部（基板取付用開口１５４）内に入り込むように取り付けられている。
【０１６７】
本発明の請求項７は、前記第２の封止手段（ワンウェイネジ４１０、カシメ用ボス３８６ａ、３８６ｂ）は、前記ケースカバー（上部ケース３５３）の封止状態を解除するために破壊した封止関連部位（切断片３８９ａ、３８９ｂ及びカシメ用ボス３８６ａ、３８６ｂ）が前記収容ケース（遊技制御基板ボックス３５０）側に残るように構成されている。
【０１６８】
以上、本発明の実施例を図面により説明してきたが、具体的な構成はこれら実施例に限られるものではなく、本発明の要旨を逸脱しない範囲における変更や追加があっても本発明に含まれる。
【０１６９】
例えば、上記実施例においては、上部ケース３５３と下部ケース３５２とを封止する第２の封止手段としてワンウェイネジ４１０が適用されているが、例えば従来例にて説明したような従来公知のセフティロックピン等も第２の封止手段として適用可能である。
【０１７０】
【発明の効果】
本発明は以下の効果を奏する。
【０１７１】
（ａ）請求項１項の発明によれば、ケース本体とケースカバーとの封止を、封止作業が容易な第１の封止手段と、不正行為がなされた場合において痕跡が残り得るように封止する第２の封止手段と、により効率よく行うことが出来るとともに、これら第１の封止手段及び第２の封止手段がケースカバーの長辺部に設けられることで、例えば封止関連部位を破壊することなくケースカバーの長辺部を撓ませてケースカバーとケース本体との間に隙間を開けること等が困難となり、ケース外部から針金を差し込むこと等による制御基板への不正行為を効果的に防止出来る。また、スロットマシンの本体に収容ケースが取り付けられた状態において、例えば取付手段がケース本体に設けられている場合には第１の封止手段や第２の封止手段による封止が解除されるとケースカバーが開封する可能性があるが、取付手段がケースカバーに設けられることで、仮に第１の封止手段や第２の封止手段による封止が解除されても取付手段による取付作用によりケースカバーが開封することがないばかりか、さらに取付手段がケースカバーの短辺部に設けられることでケースカバー全体を偏りなく封止することが出来るので、ケースカバーを開封させることによる不正行為を効果的に防止することが出来る。
【０１７２】
（ｂ）請求項２項の発明によれば、封止手段が長辺部の長手方向にわたって設けられることになるため、ケースカバーとケース本体との間に隙間を開けることがより困難となるばかりか、仮に第１の封止手段による封止が解除された場合でも、その両側は第２の封止手段により封止されていることになり、封止箇所が偏ることがないので、確実に封止することが出来る。
【０１７３】
（ｃ）請求項３項の発明によれば、第１の封止手段及び第２の封止手段による封止作業を必要最小限に抑えることが出来るばかりか、枢支部を中心にケースカバーをケース本体に対して回動自在とすることが出来るので、封止のための位置決めを容易に行うことが出来る。
【０１７４】
（ｄ）請求項４項の発明によれば、スロットマシンの本体への収容ケースの取り付けを容易に行うことが出来る。
【０１７５】
（ｅ）請求項５項の発明によれば、封印シールを封印シール貼着面に対して隙間なく貼着することが出来、これにより封印シールが封印シール貼着面から剥離しにくくなるばかりか、封印シール貼着面に封印シールが剥離された痕跡が残りやすくなるため、不正行為が行われたことを発見しやすくなる。
【０１７６】
（ｆ）請求項６項の発明によれば、壁部に取り付けられた収容ケースの少なくとも一部が壁部の厚み方向に入り込むことで、筐体の内部スペースにおける収容ケースの占有率を小さくすることが出来、これにより筐体の内部に配設される他の種々の装置や部材等の配置自由度が高まるため、限られた筐体の内部スペース内に種々の装置や部材等を効率よく配設することが出来る。
【０１７７】
（ｇ）請求項７項の発明によれば、封止関連部位を破壊して開封しても封止関連部位が収容ケースから分離することがないので、廃棄の手間が不要となる。
【図面の簡単な説明】
【図１】本発明の適用されたスロットマシン１を斜め前方から見た斜視図である。
【図２】前面扉３を開放した状態のスロットマシン１を斜め前方から見た斜視図である。
【図３】スロットマシン１を示す正面図である。
【図４】スロットマシン１の筐体２内を示す正面図である。
【図５】スロットマシン１の前面扉を示す背面図である。
【図６】スロットマシン１を示す背面図である。
【図７】スロットマシン１を示す右側面図である。
【図８】（ａ）はスロットマシン１を示す平面図であり、（ｂ）はスロットマシン１を示す底面図である。
【図９】（ａ）（ｂ）は筐体２と前面扉３との関わりを示す要部拡大平面図である。
【図１０】一部の部材が組み付けられた状態の筐体２を示す正面図である。
【図１１】筐体２に装着される各種装置と筐体２との関係を示す斜視図である。
【図１２】下部ケースを示す平面図及び側面図である。
【図１３】（ａ）は図１２のＡ−Ａ断面図であり、（ｂ）は図１２のＢ−Ｂ断面図であり、（ｃ）は図１２のＣ−Ｃ断面図である。
【図１４】上部ケースを示す平面図及び側面図である。
【図１５】（ａ）は図１４のＤ−Ｄ断面図であり、（ｂ）は図１４のＥ−Ｅ断面図であり、（ｃ）は図１４のＦ−Ｆ断面図であり、（ｄ）は図１４のＧ−Ｇ断面図である。
【図１６】（ａ）は下部ケースを上部ケースにより閉塞する状態を示す一部破断断面図であり、（ｂ）は下部ケースを上部ケースにて閉塞した状態を示す要部断面図であり、（ｃ）、（ｄ）は（ｂ）の状態の要部拡大断面図である。
【図１７】基板取付部材を示す平面図、側面図、背面図である。
【図１８】（ａ）は図１７のＨ−Ｈ断面図であり、（ｂ）は図１７のＩ−Ｉ断面図であり、（ｃ）は図１７のＪ−Ｊ断面図であり、（ｄ）は図１７のＫ−Ｋ断面図であり、（ｅ）は図１７のＬ−Ｌ断面図である。
【図１９】背板に遊技制御基板ボックスを取り付ける状態を示す要部断面図である。
【図２０】遊技制御ボックスの基板取付部材への取り付け状態を示す断面図である。
【図２１】（ａ）〜（ｃ）は遊技制御ボックスを基板取付部材に取り付けるためのラッチの作用を示す断面図である。
【図２２】同じく遊技制御ボックスの基板取付部材への取り付け状態を示す断面図である。
【図２３】（ａ）は第１封印シールを貼着した状態の上部ケースを示す要部平面図であり、（ｂ）は第２封印シールを貼着した状態の遊技制御基板ボックスを示す要部拡大断面図である。
【符号の説明】
１                    スロットマシン
２                    筐体
３                    前面扉
４                    施錠装置
４ａ                  鍵穴
５                    上部パネル
６                    遊技パネル
７                    下部パネル
８                    操作部
９                    メダル払出穴
１０                  メダル受皿
１１                  演出用透視窓
１２Ｌ、１２Ｒ        放音部
１３                  灰皿
１４                  透視窓
１５Ｌ、１５Ｒ        運搬用凹部
１６〜２５            演出用表示部
２７                  リプレイ表示部
２８                  スタート表示部
２９                  ウェイト表示部
３０                  投入指示表示部
３１                  クレジット表示部
３２                  ゲーム回数表示部
３３                  ペイアウト表示部
３４                  メダル投入部
３４ａ                メダル投入口
３５                  メダル詰まり解除ボタン
３６ａ                １枚ＢＥＴボタン
３６ｂ                ＭＡＸＢＥＴボタン
３７                  精算ボタン
３８                  スタートレバー
４０Ｌ、４０Ｃ、４０Ｒ    ストップボタン
４１                  遊技効果ＬＥＤ部
４２Ｌ、４２Ｒ        遊技効果ＬＥＤ部
４６                  １枚賭け表示部
４７                  ２枚賭け表示部
４８                  ３枚賭け表示部
５０                  リールユニット
５１Ｌ、５１Ｃ、５１Ｒ    ゲーム用リール
５４Ｌ、５４Ｃ、５４Ｒ    リールモータ
５５Ｌａ〜５５Ｌｃ    リールランプ
５５Ｃａ〜５５Ｃｃ    リールランプ
５５Ｒａ〜５５Ｒｃ    リールランプ
５６Ｌ、５６Ｃ、５６Ｒ    リールセンサ
５７                  ホッパーユニット
５７ａ                ホッパータンク
５９                  オーバーフロータンク
６０ａ、６０ｂ        フルセンサ
６１                  払出しメダルセンサ
６２                  ホッパーモータ
６３                  メダル排出口
６５                  電源ユニット
６６                  メインスイッチ部
６７                  設定／リセットボタン
６８                  自動精算選択スイッチ部
６９                  打止め選択スイッチ部
７０                  設定キー挿入部
７１                  メダルセレクタ
７２                  メダル誘導樋
７３                  メダル返却通路部材
７４                  メダル合流口
７５                  スピーカ取付用穴
９０                  演出用ユニット
９１Ｌ、９１Ｃ、９１Ｒ    演出用リール
９５                  遊技パネルユニット
１００                １枚ＢＥＴスイッチ
１０１                ＭＡＸＢＥＴスイッチ
１０２                スタートスイッチ
１０３Ｌ、１０３Ｃ、１０３Ｒ    ストップスイッチ
１０４                精算スイッチ
１０６ａ、１０６ｂ、１０６ｃ    投入メダルセンサ
１０７                流路切替ソレノイド
１０８                ゲーム回数表示器
１０９                クレジット表示器
１１０                ペイアウト表示器
１１１                １枚賭けＬＥＤ
１１２                ２枚賭けＬＥＤ
１１３                ３枚賭けＬＥＤ
１１４                リプレイＬＥＤ
１１５                スタートＬＥＤ
１１６                ウェイトＬＥＤ
１１７                投入指示ＬＥＤ
１２０                設定値表示器
１２１                ＭＡＸＢＥＴボタンＬＥＤ
１２２Ｌ、１２２Ｃ、１２２Ｒ    操作有効ＬＥＤ
１２４                冷陰極管用インバータ
１２５                蛍光灯用インバータ
１２７Ｌ、１２７Ｃ、１２７Ｒ    演出用リールセンサ
１２８Ｌ、１２８Ｃ、１２８Ｒ    演出用リールＬＥＤ
１２９Ｌ、１２９Ｃ、１２９Ｒ    演出用リールモータ
１３０                遊技効果ＬＥＤ
１３１ａ〜１３１ｃ    遊技効果ＬＥＤ
１３２ａ〜１３２ｃ    遊技効果ＬＥＤ
１３６Ｌ、１３６Ｒ    高音スピーカ
１３７                低音スピーカ
１３８ａ〜１３８ｃ    冷陰極管
１３９                蛍光灯
１４０〜１４９        演出用ランプ
１５０                天板
１５０ａ              前端面
１５１Ｌ              左側板
１５１Ｒ              右側板
１５２                底板
１５２ａ              前端面
１５３                背板
１５４                基板取付用開口
１５４ａ              膨出部
１５５                放熱穴
１５６                自動循環補給装置接続開口
１５７                外部接続配線通し穴
１５８                電源ユニット用放熱開口
１５８ａ              膨出部
１５９                スピーカ用開口
１６１                エンプティセンサ配線通し穴
１６２Ｌ、１６２Ｒ    運搬用開口
１６３Ｌ、１６３Ｒ    収容溝
１６４                上部放熱穴
１６５                メダル回収開口
１６６                切欠凹部
１６７                切欠凹部
１６８                切欠凹部
１７０                上部枠板
１７１                左側部枠板
１７２                右側部枠板
１７３                底部枠板
１７４                リールユニット取付片
１７５                リールユニット係止片
１８４Ｈ、１８４Ｌ    枢軸
１８５Ｈ、１８５Ｌ    係合突片
１８６                載置片
２０１ａ、２０１ｂ    ホッパーユニット係合レール
２１０                電源ユニット押さえ金具
２１１Ｌ、２１１Ｒ    取手部材
２１２                接続開口閉塞部材
２１６                スピーカ保護網
２７０                メダル受皿取付用ネジ穴
２７１                補強用鉄板取付用ネジ穴
３１５                外部出力基板取付部材
３５０                遊技制御基板ボックス
３５１                基板取付部材
３５２                下部ケース
３５３                上部ケース
３５３ａ              膨出部
３５４ａ〜３５４ｄ    側壁
３５５                支持リブ
３５６                支柱
３５７                位置決め突起
３５８                基板載置用段部
３５９                係止爪挿入穴
３５９ａ              上部開口端縁部
３６０ａ、３６０ｂ    カシメ用ネジ穴
３６１ａ、３６１ｂ    予備ネジ挿入穴
３６２                側壁挿入部
３６３                上部ケース取付部
３６４ａ、３６４ｂ    枢軸
３６５ａ、３６５ｂ    突片
３６６                補強リブ
３６７                傾斜面部
３６７ａ              段部
３７０                放熱孔
３７１                凹部
３７２                凹部
３７３                遊技制御用コネクタ穴
３７４                装飾ランプ用コネクタ穴
３７５                電源用コネクタ穴
３７６                リール制御用コネクタ穴
３７７                外部出力用コネクタ穴
３７８                基板照合用コネクタ穴
３７９                取付部材取付凹部
３８０                ラッチ挿入穴
３８０ａ              大径部
３８０ｂ              小径部
３８１                ネジ穴
３８２ａ〜３８２ｅ    側壁
３８３                係止片
３８３ａ              係止爪
３８４                挿入部
３８５ａ、３８５ｂ    切欠部
３８６ａ、３８６ｂ    カシメ用ボス
３８７’              大径部
３８７’’              小径部
３８７ａ、３８７ｂ    カシメ用ネジ穴
３８８ａ、３８８ｂ    予備ネジ押さえ板
３８９ａ、３８９ｂ    切断片
３９０                傾斜面部
３９１ａ、３９１ｂ    軸受け片
３９２                連結片
３９３ａ、３９３ｂ    切欠部
３９４ａ、３９４ｂ    係止被覆片
３９５                補強リブ
３９６                基板押さえ片
３９７                基板押さえ片
４１０                ワンウェイネジ
４１０ａ              頭部
４１１ａ〜４１１ｄ    側壁
４１２                平板部
４１３                補強用リブ
４１４                固定片
４１５                ネジ穴
４１６                ネジ
４１７ａ、４１７ｂ    係止被覆片挿入口
４１８                固定片
４１９                ネジ穴
４２０                ネジ
４２１                ラッチ挿入穴
４２２                ネジ穴
４２３                防犯用突片
４２４                補強用リブ
４２５                ネジ
４２６                第１封印シール
４２７                第２封印シール
４２８                第２封印シール収容溝
４２９                下部ケースガイド片
４３０                ラッチ
４３１                ブッシュ
４３１ａ              貫通穴
４３２                操作ピン
４３２ａ              ピン部材
４３２ｂ              操作部
４３２ｃ              先端部
４３３                固定片
４３４                フランジ部
４３５                凸条
４３６                基板ボックス取付用凹部
５００                遊技制御基板
５０１                演出制御基板
５０２                電源基板
５０３                リール中継基板
５０４                リールランプ中継基板
５０５                外部出力基板
５０７                操作部中継基板
５０８                演出用ランプ中継基板
５０９                演出用中継基板
５４１                演出用ランプ基板
５４２                演出用ランプ基板
５４３                表示基板
Ｌ１、Ｌ２、Ｌ２’、Ｌ３、Ｌ３’  入賞ライン
【図１】
2004159884.tif 000003
【図２】
2004159884.tif 000004
【図３】
2004159884.tif 000005
【図４】
2004159884.tif 000006
【図５】
2004159884.tif 000007
【図６】
2004159884.tif 000008
【図７】
2004159884.tif 000009
【図８】
2004159884.tif 000010
【図９】
2004159884.tif 000011
【図１０】
2004159884.tif 000012
【図１１】
2004159884.tif 000013
【図１２】
2004159884.tif 000014
【図１３】
2004159884.tif 000015
【図１４】
2004159884.tif 000016
【図１５】
2004159884.tif 000017
【図１６】
2004159884.tif 000018
【図１７】
2004159884.tif 000019
【図１８】
2004159884.tif 000020
【図１９】
2004159884.tif 000021
【図２０】
2004159884.tif 000022
【図２１】
2004159884.tif 000023
【図２２】
2004159884.tif 000024
【図２３】
2004159884.tif 000025